(57)【要約】【課題】探索対象を識別する情報を用いた照合処理により、探索対象に関するコンテンツを適切に取得でき、さらに、照合処理に要する時間を短縮して、ユーザが所望のコンテンツを短時間で取得できるようにする。【解決手段】ルータなどの通信装置が、コンテンツ中心ネットワークからインタレストを受信すると、自装置に蓄積されたコンテンツの中から、インタレストで指定された検索条件に該当するコンテンツを検索する検索処理を行い、この検索処理で見つかったコンテンツと、インタレストに付加された探索対象識別情報（顔画像）とを照合する照合処理を行って、探索対象に関するコンテンツを取得して、そのコンテンツをコンテンツの要求元の通信装置に送信する。【選択図】図１２
2018169645.tif 000002
【特許請求の範囲】
【請求項１】
コンテンツ中心ネットワークに接続された通信装置であって、
コンテンツを蓄積する記憶部と、
検索条件情報および探索対象識別情報が付加されたインタレストを受信する受信部と、
前記記憶部に蓄積されたコンテンツの中から、前記検索条件情報に該当するコンテンツを検索する検索処理を行い、この検索処理で見つかった前記コンテンツと前記探索対象識別情報とを照合する照合処理を行って、探索対象に関するコンテンツを取得する制御部と、
前記探索対象に関するコンテンツを、コンテンツの要求元の通信装置に送信する送信部と、
を備えることを特徴とする通信装置。
【請求項２】
前記受信部は、前記探索対象識別情報とともに、前記コンテンツの位置および時間に関する検索条件情報が、前記コンテンツ名またはインタレスト付随情報に付加されたインタレストを受信し、
前記制御部は、前記検索条件情報に基づいて前記検索処理を行うことを特徴とする請求項１に記載の通信装置。
【請求項３】
前記受信部は、前記探索対象識別情報として、探索対象となる人物の画像を含む前記インタレストを受信し、
前記制御部は、前記画像を用いた前記照合処理により、探索対象となる人物の画像が含まれる前記コンテンツを取得することを特徴とする請求項１に記載の通信装置。
【請求項４】
前記受信部は、前記探索対象識別情報として、探索対象となる人物の名前を含む前記インタレストを受信し、
前記制御部は、前記人物の名前を用いた前記照合処理により、探索対象となる人物の名前が記載された前記コンテンツを取得することを特徴とする請求項１に記載の通信装置。
【請求項５】
前記受信部は、前記照合処理の条件を指定する情報が付加された前記インタレストを受信し、
前記制御部は、前記照合処理の条件を指定する情報に基づいて、前記照合処理を行うことを特徴とする請求項１に記載の通信装置。
【請求項６】
前記受信部は、前記照合処理の結果の通知方法を指定する情報が付加された前記インタレストを受信し、
前記制御部は、前記照合処理の結果の通知方法を指定する情報に基づいて、前記照合処理の結果の通知を前記コンテンツの要求元に送信することを特徴とする請求項１に記載の通信装置。
【請求項７】
前記制御部は、前記検索条件情報に該当するコンテンツが前記記憶部に存在し、当該コンテンツの照合処理を自装置で行う場合には、当該コンテンツのコンテンツ付随情報をインタレストに付加して他の通信装置に転送することを特徴とする請求項１に記載の通信装置。
【請求項８】
前記制御部は、前記検索条件情報に該当するコンテンツが前記記憶部に存在する場合でも、当該コンテンツの照合処理を自装置で行わずに、当該コンテンツをインタレストとともに他の通信装置に送信することを特徴とする請求項１に記載の通信装置。
【請求項９】
前記制御部は、自装置の負荷状態と、照合処理の待ち状態の件数と、自装置の処理能力との少なくともいずれかに基づいて、前記記憶部に存在する前記コンテンツの照合処理を自装置で行うか否かを判定することを特徴とする請求項８に記載の通信装置。
【請求項１０】
コンテンツ中心ネットワークに接続された通信装置であって、
検索条件情報および探索対象識別情報が付加されたインタレストを生成する制御部と、
前記インタレストを前記コンテンツ中心ネットワークに送信する送信部と、
前記コンテンツ中心ネットワーク内に接続された他の通信装置において前記検索条件情報に基づく検索処理および前記探索対象識別情報に基づく照合処理により取得した探索対象に関するコンテンツを受信する受信部と、
を備えることを特徴とする通信装置。
【請求項１１】
コンテンツ中心ネットワークに接続された通信装置およびコンテンツ蓄積装置を備える通信システムであって、
前記通信装置は、
検索条件情報および探索対象識別情報が付加されたインタレストを生成する制御部と、
前記インタレストを前記コンテンツ中心ネットワークに送信する送信部と、
前記コンテンツ蓄積装置から送信される探索対象に関するコンテンツを受信する受信部と、
を備え、
前記コンテンツ蓄積装置は、
コンテンツを蓄積する記憶部と、
前記検索条件情報および前記探索対象識別情報が付加されたインタレストを受信する受信部と、
前記記憶部に蓄積されたコンテンツの中から、前記検索条件情報に該当するコンテンツを検索する検索処理を行い、この検索処理で見つかった前記コンテンツと前記探索対象識別情報とを照合する照合処理を行って、探索対象に関するコンテンツを取得する制御部と、
前記探索対象に関するコンテンツを前記通信装置に送信する送信部と、
を備えることを特徴とする通信システム。
【請求項１２】
通信装置が、コンテンツ中心ネットワークを介してコンテンツ蓄積装置から、探索対象に関するコンテンツを収集するコンテンツ収集方法であって、
前記通信装置が、
検索条件情報および探索対象識別情報が付加されたインタレストを生成して、そのインタレストを前記コンテンツ中心ネットワークに送信し、
前記コンテンツ蓄積装置が、
前記インタレストを受信すると、自装置に蓄積されたコンテンツの中から、前記検索条件情報に該当するコンテンツを検索する検索処理を行い、この検索処理で見つかった前記コンテンツと前記探索対象識別情報とを照合する照合処理を行って、探索対象に関するコンテンツを取得して、その探索対象に関するコンテンツを前記通信装置に送信し、
前記通信装置が、
前記コンテンツ蓄積装置から送信される前記探索対象に関するコンテンツを受信することを特徴とするコンテンツ収集方法。
【発明の詳細な説明】
【技術分野】
【０００１】
本発明は、コンテンツ中心ネットワークに接続された通信装置、コンテンツ中心ネットワークに接続された通信装置およびコンテンツ蓄積装置を備える通信システム、および通信装置が、コンテンツ中心ネットワークを介してコンテンツ蓄積装置から、探索対象に関するコンテンツを収集するコンテンツ収集方法に関するものである。
【背景技術】
【０００２】
現在、インターネットが広く普及している。このインターネットでは、サーバに蓄積されたコンテンツをユーザ端末で取得する場合、サーバのＩＰアドレスを入手して、そのＩＰアドレスを用いてサーバにアクセスすることで、必要なコンテンツを取得することができる。
【０００３】
一方、現在のインターネットに代わる技術として、コンテンツ中心ネットワークの技術が知られている（特許文献１参照）。このコンテンツ中心ネットワークは、ＣＣＮ（Contents Centric Network）、ＩＣＮ（Information Centric Network）、ＮＤＮ（Named Data Network）とも呼ばれており、ネットワーク内の装置に蓄積されたコンテンツを、コンテンツ名を用いて収集することができるように構築されている。
【先行技術文献】
【特許文献】
【０００４】
【特許文献１】特開２０１５−２１２９３５号公報
【発明の概要】
【発明が解決しようとする課題】
【０００５】
さて、コンテンツ中心ネットワークでは、必要なコンテンツを特定する文字情報を記載したコンテンツ名をインタレスト（メッセージ）に付加してユーザ端末から送信することで、必要なコンテンツをネットワーク内の装置から収集することができる。しかしながら、収集したコンテンツには、ユーザが望まないものも多数含まれる。
【０００６】
例えば、デパートに設置されたセキュリティカメラの画像を用いて、デパートで迷子になった子供を探し出す場合、コンテンツ名に、「セキュリティカメラ画像」の文字と、迷子になった子供が滞在していたと想定される場所や時刻などの文字を記載して、インタレストを送信することが考えられる。この場合、収集したコンテンツ（カメラ画像）には、迷子になった子供が映っていないコンテンツも多数含まれる。
【０００７】
このため、ユーザ端末では、ユーザが、表示した多数のコンテンツの中から、迷子になった子供の画像が含まれるコンテンツを選び出す必要があり、大変な手間を要する。また、ユーザ端末で、迷子になった子供の顔画像を用いて、取得したコンテンツに対して照合処理を行って、迷子になった子供の画像が含まれるコンテンツを選び出すこともできるが、コンテンツが多数収集されると、処理に長時間を要するという問題があった。
【０００８】
そこで、本発明は、探索対象を識別する情報を用いた照合処理により、探索対象に関するコンテンツを適切に取得することができ、さらに、照合処理に要する時間を短縮して、ユーザが所望のコンテンツを短時間で取得することができる通信装置、通信システムおよびコンテンツ収集方法を提供することを主な目的とする。
【課題を解決するための手段】
【０００９】
本発明の通信装置は、コンテンツ中心ネットワークに接続された通信装置であって、コンテンツを蓄積する記憶部と、検索条件情報および探索対象識別情報が付加されたインタレストを受信する受信部と、前記記憶部に蓄積されたコンテンツの中から、前記検索条件情報に該当するコンテンツを検索する検索処理を行い、この検索処理で見つかった前記コンテンツと前記探索対象識別情報とを照合する照合処理を行って、探索対象に関するコンテンツを取得する制御部と、前記探索対象に関するコンテンツを、コンテンツの要求元の通信装置に送信する送信部と、を備える構成とする。
【００１０】
また、本発明の通信システムは、コンテンツ中心ネットワークに接続された通信装置およびコンテンツ蓄積装置を備える通信システムであって、前記通信装置は、検索条件情報および探索対象識別情報が付加されたインタレストを生成する制御部と、前記インタレストを前記コンテンツ中心ネットワークに送信する送信部と、前記コンテンツ蓄積装置から送信される探索対象に関するコンテンツを受信する受信部と、を備え、前記コンテンツ蓄積装置は、コンテンツを蓄積する記憶部と、前記検索条件情報および前記探索対象識別情報が付加されたインタレストを受信する受信部と、前記記憶部に蓄積されたコンテンツの中から、前記検索条件情報に該当するコンテンツを検索する検索処理を行い、この検索処理で見つかった前記コンテンツと前記探索対象識別情報とを照合する照合処理を行って、探索対象に関するコンテンツを取得する制御部と、前記探索対象に関するコンテンツを前記通信装置に送信する送信部と、を備える構成とする。
【００１１】
また、本発明のコンテンツ収集方法は、通信装置が、コンテンツ中心ネットワークを介してコンテンツ蓄積装置から、探索対象に関するコンテンツを収集するコンテンツ収集方法であって、前記通信装置が、検索条件情報および探索対象識別情報が付加されたインタレストを生成して、そのインタレストを前記コンテンツ中心ネットワークに送信し、前記コンテンツ蓄積装置が、前記インタレストを受信すると、自装置に蓄積されたコンテンツの中から、前記検索条件情報に該当するコンテンツを検索する検索処理を行い、この検索処理で見つかった前記コンテンツと前記探索対象識別情報とを照合する照合処理を行って、探索対象に関するコンテンツを取得して、その探索対象に関するコンテンツを前記通信装置に送信し、前記通信装置が、前記コンテンツ蓄積装置から送信される前記探索対象に関するコンテンツを受信する構成とする。
【発明の効果】
【００１２】
本発明によれば、探索対象識別情報を用いた照合処理により、探索対象に関するコンテンツを適切に取得することができる。さらに、照合処理が、コンテンツ中心ネットワーク上の複数の通信装置で並行して行われるため、照合処理に要する時間を短縮して、ユーザが所望のコンテンツを短時間で取得することができる。
【図面の簡単な説明】
【００１３】
【図１】第１実施形態に係る通信システムの全体構成図
【図２】ユーザ端末１の概略構成を示すブロック図
【図３】カメラ２の概略構成を示すブロック図
【図４】サーバ３の概略構成を示すブロック図
【図５】ルータ４の概略構成を示すブロック図
【図６】インタレストの構成の一例を示す説明図
【図７】インタレストのコンテンツ名の一例を示す説明図
【図８】ルータ４の記憶部４３のＦＩＢ、ＰＩＴおよびＣＳの登録内容の一例を示す説明図
【図９】インタレスト付随情報の一例を示す説明図
【図１０】図９に示した例の場合のＣＳの登録内容の一例を示す説明図
【図１１】ユーザ端末１の動作手順を示すフロー図
【図１２】ルータ４のインタレスト受信時の動作手順を示すフロー図
【図１３】第１実施形態の変形例に係るルータ４のインタレスト受信時の動作手順を示すフロー図
【図１４】第２実施形態に係る通信システムの全体構成図
【図１５】第２実施形態に係るコンテンツ名の一例を示す説明図
【図１６】第２実施形態に係るインタレスト付随情報の一例を示す説明図
【図１７】第２実施形態に係るルータ４のインタレスト受信時の動作手順を示すフロー図
【図１８】第２実施形態の変形例に係るルータ４のインタレスト受信時の動作手順を示すフロー図
【図１９】第３実施形態に係るインタレスト付随情報の一例を示す説明図
【発明を実施するための形態】
【００１４】
前記課題を解決するためになされた第１の発明は、コンテンツ中心ネットワークに接続された通信装置であって、コンテンツを蓄積する記憶部と、検索条件情報および探索対象識別情報が付加されたインタレストを受信する受信部と、前記記憶部に蓄積されたコンテンツの中から、前記検索条件情報に該当するコンテンツを検索する検索処理を行い、この検索処理で見つかった前記コンテンツと前記探索対象識別情報とを照合する照合処理を行って、探索対象に関するコンテンツを取得する制御部と、前記探索対象に関するコンテンツを、コンテンツの要求元の通信装置に送信する送信部と、を備える構成とする。
【００１５】
これによると、探索対象識別情報を用いた照合処理により、探索対象に関するコンテンツを適切に取得することができる。さらに、照合処理が、コンテンツ中心ネットワーク上の複数の通信装置で並行して行われるため、照合処理に要する時間を短縮して、ユーザが所望のコンテンツを短時間で取得することができる。
【００１６】
また、第２の発明は、前記受信部は、前記探索対象識別情報とともに、前記コンテンツの位置および時間に関する検索条件情報が、前記コンテンツ名またはインタレスト付随情報に付加されたインタレストを受信し、前記制御部は、前記検索条件情報に基づいて前記検索処理を行う構成とする。
【００１７】
これによると、照合処理の対象となるコンテンツを検索処理により適切に絞り込むことができる。
【００１８】
また、第３の発明は、前記受信部は、前記探索対象識別情報として、探索対象となる人物の画像を含む前記インタレストを受信し、前記制御部は、前記画像を用いた前記照合処理により、探索対象となる人物の画像が含まれる前記コンテンツを取得する構成とする。
【００１９】
これによると、探索対象となる人物が映るコンテンツをユーザが取得することができる。
【００２０】
また、第４の発明は、前記受信部は、前記探索対象識別情報として、探索対象となる人物の名前を含む前記インタレストを受信し、前記制御部は、前記人物の名前を用いた前記照合処理により、探索対象となる人物の名前が記載された前記コンテンツを取得する構成とする。
【００２１】
これによると、探索対象となる人物が記載されたコンテンツをユーザが取得することができる。
【００２２】
また、第５の発明は、前記受信部は、前記照合処理の条件を指定する情報が付加された前記インタレストを受信し、前記制御部は、前記照合処理の条件を指定する情報に基づいて、前記照合処理を行う構成とする。
【００２３】
これによると、ユーザが指定した条件で、照合処理を通信装置に行わせることができる。
【００２４】
また、第６の発明は、前記受信部は、前記照合処理の結果の通知方法を指定する情報が付加された前記インタレストを受信し、前記制御部は、前記照合処理の結果の通知方法を指定する情報に基づいて、前記照合処理の結果の通知を前記コンテンツの要求元に送信する構成とする。
【００２５】
これによると、ユーザが指定した通知方法で、照合処理の結果の通知を通信装置に行わせることができる。
【００２６】
また、第７の発明は、前記制御部は、前記検索条件情報に該当するコンテンツが前記記憶部に存在し、当該コンテンツの照合処理を自装置で行う場合には、当該コンテンツのコンテンツ付随情報をインタレストに付加して他の通信装置に転送する構成とする。
【００２７】
これによると、複数の通信装置で同一のコンテンツに対する照合処理が重複して行われることを避けることができる。
【００２８】
また、第８の発明は、前記制御部は、前記検索条件情報に該当するコンテンツが前記記憶部に存在する場合でも、当該コンテンツの照合処理を自装置で行わずに、当該コンテンツをインタレストとともに他の通信装置に送信する構成とする。
【００２９】
これによると、検索条件情報に適合するコンテンツを保持しない通信装置でも、当該コンテンツの照合処理ができるようになり、１つの通信装置に負荷が集中することを避けることができる。
【００３０】
また、第９の発明は、前記制御部は、自装置の負荷状態と、照合処理の待ち状態の件数と、自装置の処理能力との少なくともいずれかに基づいて、前記記憶部に存在する前記コンテンツの照合処理を自装置で行うか否かを判定する構成とする。
【００３１】
これによると、コンテンツの照合処理を自装置で行うか否かの判定を適切に行うことができる。
【００３２】
また、第１０の発明は、コンテンツ中心ネットワークに接続された通信装置であって、検索条件情報および探索対象識別情報が付加されたインタレストを生成する制御部と、前記インタレストを前記コンテンツ中心ネットワークに送信する送信部と、前記コンテンツ中心ネットワーク内に接続された他の通信装置において前記検索条件情報に基づく検索処理および前記探索対象識別情報に基づく照合処理により取得した探索対象に関するコンテンツを受信する受信部と、を備える構成とする。
【００３３】
これによると、第１の発明と同様に、探索対象を識別する情報を用いた照合処理により、探索対象に関するコンテンツを適切に取得することができ、さらに、照合処理に要する時間を短縮して、ユーザが所望のコンテンツを短時間で取得することができる。
【００３４】
また、第１１の発明は、コンテンツ中心ネットワークに接続された通信装置およびコンテンツ蓄積装置を備える通信システムであって、前記通信装置は、検索条件情報および探索対象識別情報が付加されたインタレストを生成する制御部と、前記インタレストを前記コンテンツ中心ネットワークに送信する送信部と、前記コンテンツ蓄積装置から送信される探索対象に関するコンテンツを受信する受信部と、を備え、前記コンテンツ蓄積装置は、コンテンツを蓄積する記憶部と、前記検索条件情報および前記探索対象識別情報が付加されたインタレストを受信する受信部と、前記記憶部に蓄積されたコンテンツの中から、前記検索条件情報に該当するコンテンツを検索する検索処理を行い、この検索処理で見つかった前記コンテンツと前記探索対象識別情報とを照合する照合処理を行って、探索対象に関するコンテンツを取得する制御部と、前記探索対象に関するコンテンツを前記通信装置に送信する送信部と、を備える構成とする。
【００３５】
これによると、第１の発明と同様に、探索対象を識別する情報を用いた照合処理により、探索対象に関するコンテンツを適切に取得することができ、さらに、照合処理に要する時間を短縮して、ユーザが所望のコンテンツを短時間で取得することができる。
【００３６】
また、第１２の発明は、通信装置が、コンテンツ中心ネットワークを介してコンテンツ蓄積装置から、探索対象に関するコンテンツを収集するコンテンツ収集方法であって、前記通信装置が、検索条件情報および探索対象識別情報が付加されたインタレストを生成して、そのインタレストを前記コンテンツ中心ネットワークに送信し、前記コンテンツ蓄積装置が、前記インタレストを受信すると、自装置に蓄積されたコンテンツの中から、前記検索条件情報に該当するコンテンツを検索する検索処理を行い、この検索処理で見つかった前記コンテンツと前記探索対象識別情報とを照合する照合処理を行って、探索対象に関するコンテンツを取得して、その探索対象に関するコンテンツを前記通信装置に送信し、前記通信装置が、前記コンテンツ蓄積装置から送信される前記探索対象に関するコンテンツを受信する構成とする。
【００３７】
これによると、第１の発明と同様に、探索対象を識別する情報を用いた照合処理により、探索対象に関するコンテンツを適切に取得することができ、さらに、照合処理に要する時間を短縮して、ユーザが所望のコンテンツを短時間で取得することができる。
【００３８】
以下、本発明の実施の形態を、図面を参照しながら説明する。
【００３９】
（第１実施形態）
図１は、第１実施形態に係る通信システムの全体構成図である。
【００４０】
この通信システムは、ユーザ端末１（通信装置）と、複数のカメラ２（撮像装置、通信装置、コンテンツ蓄積装置）と、サーバ３（サーバ装置、通信装置、コンテンツ蓄積装置）と、複数のルータ４（転送装置、通信装置、コンテンツ蓄積装置）と、を備えている。ユーザ端末１、カメラ２、サーバ３およびルータ４は、コンテンツ中心ネットワークを介して相互に接続されている。
【００４１】
ユーザ端末１は、ユーザ（探索者）が操作するものである。本実施形態では、探索対象となる人物の顔画像を用いて、探索対象となる人物が映るコンテンツ（カメラ画像）を収集して、探索対象となる人物の居場所を見つける人物探索を行う。なお、コンテンツ（カメラ画像）は動画、静止画のどちらでもよい。
【００４２】
カメラ２は、設置場所の周辺を撮影する。本実施形態では、セキュリティカメラ（防犯カメラ、監視カメラ）とする。また、カメラ２は、自装置で撮影したコンテンツ（カメラ画像）を自装置に蓄積する。また、カメラ２は、自装置で撮影したコンテンツ（カメラ画像）をネットワークの状況にあわせて定期的にサーバ３に送信する。
【００４３】
サーバ３は、各カメラ２から送信されるコンテンツ（カメラ画像）を蓄積する。
【００４４】
ルータ４は、カメラ２からサーバ３にコンテンツ（カメラ画像）を送信する際にコンテンツの中継を行う。このとき、受信したコンテンツ（カメラ画像）を自装置に蓄積する。したがって、カメラ２からサーバ３にコンテンツを送信する経路上のルータ４には、送信元のカメラ２のコンテンツが次々に蓄積される。なお、ルータ４に蓄積されたコンテンツは、所定の期間が経過すると削除される。
【００４５】
コンテンツ中心ネットワークは、ネットワーク内の装置（カメラ２、サーバ３およびルータ４）に蓄積されたコンテンツを、ユーザ端末１がコンテンツ名で収集することができるように構築されたものである。
【００４６】
このコンテンツ中心ネットワークでは、コンテンツの要求元のユーザ端末１からインタレスト（コンテンツ要求メッセージ）を送信すると、そのインタレストをルータ４が受信し、ルータ４は、受信したインタレストを近隣の装置に転送し、このルータ４によるインタレストの転送が順次繰り返されて、カメラ２やサーバ３にインタレストが到達する。
【００４７】
ルータ４、カメラ２およびサーバ３では、インタレストを受信すると、そのインタレストに付加されたコンテンツ名に該当するコンテンツを、自装置に蓄積されたコンテンツの中から選択して、コンテンツの要求元のユーザ端末１に送信する。
【００４８】
ここで、本実施形態では、コンテンツの要求元のユーザ端末１で、ユーザ（探索者）が、検索条件や探索対象となる人物の顔画像を指定することで、検索条件情報および顔画像がコンテンツ名やインタレスト付随情報として付加されたインタレストを生成して送信する。
【００４９】
ルータ４、カメラ２およびサーバ３では、インタレストを受信すると、インタレストに付加された検索条件に該当するコンテンツを検索し、次に、インタレストに付加された顔画像を用いて、検索で見つかったコンテンツに対して照合処理を行って、探索対象となる人物が映るコンテンツを取得して、そのコンテンツを、コンテンツの要求元（インタレストの送信元）のユーザ端末１に送信する。
【００５０】
このように本実施形態では、各カメラ２で撮影されたコンテンツ（カメラ画像）が、ルータ４、カメラ２およびサーバ３に蓄積され、このルータ４、カメラ２およびサーバ３で照合処理が並行して行われるため、コンテンツがサーバ３にのみ蓄積されて、照合処理をサーバ３で行うシステムと比較して、サーバ３の負荷を軽減することができ、また、ユーザ端末１で要求したコンテンツを短時間で収集することができる。
【００５１】
次に、ユーザ端末１の概略構成について説明する。図２は、ユーザ端末１の概略構成を示すブロック図である。
【００５２】
ユーザ端末１は、通信部１１（受信部、送信部）と、制御部１２と、記憶部１３と、入力部１４と、表示部１５と、を備えている。
【００５３】
通信部１１は、コンテンツ中心ネットワークにインタレストを送信し、そのインタレストの応答としてコンテンツ中心ネットワークから送信されるコンテンツを受信する。
【００５４】
記憶部１３は、制御部１２で実行するプログラムおよび受信したコンテンツを記憶する。
【００５５】
入力部１４は、検索条件や探索対象となる人物の顔画像などを指定する入力操作をユーザが行う。表示部１５は、通信部１１で受信したコンテンツや、制御部１２で生成した解析結果情報を表示する。
【００５６】
制御部１２は、インタレスト送信制御部１６と、解析処理部１７と、を備えている。この制御部１２は、プロセッサで構成され、制御部１２の各部は、記憶部１３に記憶されたプログラムをプロセッサで実行することで実現される。
【００５７】
インタレスト送信制御部１６は、ユーザが入力した検索条件情報を取得するとともに、ユーザが指定した探索対象となる人物の顔画像を取得して、検索条件情報および顔画像を含むコンテンツ名およびインタレスト付随情報が付加されたインタレストを生成して、そのインタレストを通信部１１から送信する。
【００５８】
解析処理部１７は、通信部１１で受信したコンテンツに対して解析処理を行い、探索対象とした人物が移動した経路に関する移動経路情報などを生成する。
【００５９】
次に、カメラ２の概略構成について説明する。図３は、カメラ２の概略構成を示すブロック図である。
【００６０】
カメラ２は、撮像部２１と、通信部２２（受信部、送信部）と、制御部２３と、記憶部２４と、を備えている。
【００６１】
撮像部２１は、カメラ２の周辺を撮影して、撮影画像を出力する。
【００６２】
通信部２２は、コンテンツ中心ネットワークとの間でインタレストおよびコンテンツの送受信を行うフェースを備えている。
【００６３】
記憶部２４は、制御部２３で生成したコンテンツ（カメラ画像）を蓄積する。また、記憶部２４は、制御部で実行するプログラムを記憶する。
【００６４】
なお、記憶部２４は、記憶容量に制限があるため、所定時間分のコンテンツが蓄積されると、そのコンテンツを通信部２２からサーバ３に送信して、空き容量を確保する。
【００６５】
制御部２３は、コンテンツ生成部２５と、検索処理部２６と、照合処理部２７と、通知制御部２８と、を備えている。この制御部２３は、プロセッサで構成され、制御部２３の各部は、記憶部２４に記憶されたプログラムをプロセッサで実行することで実現される。
【００６６】
コンテンツ生成部２５は、撮像部２１から出力された撮影画像に、位置情報（撮影場所など）や時間情報（撮影時刻など）などを含む属性情報を付加したコンテンツ（カメラ画像）を生成する。なお、属性情報は、コンテンツとは別のデータとして管理されるようにしてもよく、また、コンテンツ名やコンテンツ付随情報として管理されるようにしてもよい。
【００６７】
検索処理部２６は、通信部２２でインタレストを受信すると、そのインタレストのコンテンツ名に記載された検索条件情報を取得して、記憶部２４に蓄積されたコンテンツの中から、検索条件に該当するコンテンツを検索する。
【００６８】
照合処理部２７は、インタレストに付加された探索対象となる人物の顔画像を用いて、検索処理部２６で見つかったコンテンツ（カメラ画像）を対象にして、探索対象となる人物が映っているか否かの照合処理を行う。
【００６９】
通知制御部２８は、検索条件に該当するコンテンツが存在し、探索対象となる人物が映るコンテンツが見つかった場合は、そのコンテンツを要求元に送信する。また、検索条件に該当するコンテンツが存在するが、探索対象となる人物が映るコンテンツが見つからなかった場合は、その旨の照合失敗通知を、コンテンツの要求元に送信する。
【００７０】
次に、サーバ３の概略構成について説明する。図４は、サーバ３の概略構成を示すブロック図である。
【００７１】
サーバ３は、通信部３１（受信部、送信部）と、制御部３２と、記憶部３３と、を備えている。
【００７２】
通信部３１は、コンテンツ中心ネットワークとの間でインタレストおよびコンテンツの送受信を行うフェースを備えている。
【００７３】
記憶部３３は、通信部３１で受信したコンテンツを蓄積する。また、記憶部３３は、制御部３２で実行するプログラムを記憶する。
【００７４】
制御部３２は、検索処理部３５と、照合処理部３６と、通知制御部３７と、を備えている。この制御部３２は、プロセッサで構成され、制御部３２の各部は、記憶部３３に記憶されたプログラムをプロセッサで実行することで実現される。
【００７５】
検索処理部３５は、通信部３１でインタレストを受信すると、そのインタレストのコンテンツ名に記載された検索条件情報を取得して、記憶部３３に蓄積されたコンテンツの中から、検索条件に該当するコンテンツを検索する。
【００７６】
照合処理部３６は、インタレストに付加された探索対象となる人物の顔画像を用いて、検索処理部３５で見つかったコンテンツ（カメラ画像）を対象にして、探索対象となる人物が映っているか否かの照合処理を行う。
【００７７】
通知制御部３７は、検索条件に該当するコンテンツが存在し、検索対象となる人物が映るコンテンツが見つかった場合は、コンテンツを要求元に送信する。また、検索条件に該当するコンテンツが存在するが、探索対象となる人物が映るコンテンツが見つからなかった場合は、その旨の照合失敗通知を、コンテンツの要求元に送信する。
【００７８】
次に、ルータ４の概略構成について説明する。図５は、ルータ４の概略構成を示すブロック図である。
【００７９】
ルータ４は、通信部４１（受信部、送信部）と、制御部４２と、記憶部４３と、を備えている。
【００８０】
通信部４１は、コンテンツ中心ネットワークとの間でインタレストおよびコンテンツの送受信を行う複数のフェースを備えている。各フェースでは、インタレストの受信および転送と、コンテンツの受信および転送と、が行われ、例えば、フェース０でインタレストを受信すると、そのインタレストをフェース１から転送する。また、インタレストの転送先から応答として送信されるコンテンツをフェース１で受信すると、そのコンテンツをフェース０からインタレストの送信元に転送する。
【００８１】
記憶部４３は、ＦＩＢ（forwarding information base）と、ＰＩＴ（pending interest table）と、ＣＳ（content store）と、を備えている。また、記憶部４３は、制御部４２を構成するプロセッサで実行されるプログラムを記憶する。
【００８２】
ＦＩＢは、インタレストの転送に関する経路情報（ルーティングテーブル）であり、このＦＩＢを参照して、インタレストの転送先を決定する。
【００８３】
ＰＩＴは、コンテンツの転送に関する経路情報（ルーティングテーブル）であり、このＰＩＴを参照して、コンテンツの転送先フェースを決定する。なお、このコンテンツの転送先は、コンテンツに対応するインタレストの送信元（インタレストを受信したフェース）である。
【００８４】
ＣＳは、インタレストの転送先から応答として送信されてフェースで受信したコンテンツを蓄積する。なお、カメラ２からサーバ３にコンテンツを送信する経路上にルータ４が存在する場合には、ルータ４はそのコンテンツをＣＳに蓄積する。
【００８５】
制御部４２は、検索処理部４５と、照合処理部４６と、インタレスト転送制御部４７と、通知制御部４８と、を備えている。この制御部４２は、プロセッサで構成され、制御部４２の各部は、記憶部４３に記憶されたプログラムを実行することで実現される。
【００８６】
検索処理部４５は、通信部４１のフェースでインタレストを受信すると、そのインタレストのコンテンツ名に記載された検索条件情報を取得して、記憶部４３のＣＳに蓄積されたコンテンツの中から、検索条件に該当するコンテンツを検索する。
【００８７】
照合処理部４６は、インタレストに付加された探索対象となる人物の顔画像を用いて、検索処理部４５で見つかったコンテンツ（カメラ画像）を対象にして、探索対象となる人物が映っているか否かの照合処理を行う。
【００８８】
インタレスト転送制御部４７は、インタレストの転送を制御する。本実施形態では、検索条件に該当するコンテンツがＣＳに存在しない場合や、検索条件に該当するコンテンツでも探索対象となる人物が映っていない場合に、インタレストを転送する。
【００８９】
通知制御部４８は、検索条件に該当するコンテンツが存在し、探索対象となる人物が映るコンテンツが見つかった場合は、そのコンテンツを要求元に送信する。また、検索条件に該当するコンテンツが存在するが、探索対象となる人物が映るコンテンツが見つからなかった場合は、その旨の照合失敗通知を、コンテンツの要求元に送信する。
【００９０】
次に、インタレストの構成について説明する。図６は、インタレストの構成の一例を示す説明図である。
【００９１】
インタレストは、コンテンツ名およびインタレスト付随情報で構成され、コンテンツ名に、コンテンツの内容（種類）を表す文字（例えば「セキュリテカメラィ画像」）が記載される。また、本実施形態では、インタレストに、探索対象となる人物を識別するための探索対象識別情報（顔画像）と、コンテンツの内容（種類）を表す文字以外の検索条件に関する検索条件情報と、が付加される。この探索対象識別情報および検索条件情報は、コンテンツ名に含めるようにしてもよく、また、インタレスト付随情報に含めるようにしてもよい。
【００９２】
図６（Ａ−１）に示す例では、コンテンツ名に、コンテンツの内容（種類）を表す文字（「セキュリテカメラィ画像」）を含め、インタレスト付随情報に、検索条件情報と、探索対象識別情報（顔画像）とを含めるようにしている。
【００９３】
図６（Ａ−２）に示す例では、コンテンツ名に、コンテンツの内容（種類）を表す文字（「セキュリテカメラィ画像」）と、検索条件情報とを含め、インタレスト付随情報に、探索対象識別情報（顔画像）とを含めるようにしている。
【００９４】
図６（Ａ−３）に示す例では、コンテンツ名に、コンテンツの内容（種類）を表す文字（「セキュリテカメラィ画像」）と、検索条件情報と、探索対象識別情報（顔画像）とを含めるようにしている。
【００９５】
なお、コンテンツ名に探索対象識別情報を含める場合には、例えば、探索対象識別情報のバイナリデータをＢａｓｅ６４の変換ルールに従ってテキストデータに変換するようにするとよい。
【００９６】
図６（Ｂ）に示す例では、探索対象識別情報のヘッダ領域に、画像が格納されることを表す識別子を付ける。また、探索対象識別情報のヘッダ領域に、探索対象識別情報のデータ長（Length of Data）、およびデータ長のサイズ（Length of Length）が格納される。このようにすると、探索対象識別情報をバイナリデータのままインタレストに付加することができる。
【００９７】
次に、インタレストのコンテンツ名に必要な情報を付加する例について説明する。図７は、インタレストのコンテンツ名の一例を示す説明図である。
【００９８】
図７に示す例では、検索条件として、コンテンツの内容（種類）を表す文字（「セキュリティカメラ画像」）と、位置情報、すなわち、どの位置で撮影されたカメラ画像であるかに関する情報や、時間情報、すなわち、いつ撮影されたカメラ画像であるかに関する情報などを、コンテンツ名に含めるようにしている。
【００９９】
図７（Ａ）に示す例では、コンテンツ名に、コンテンツの内容（種類）を表す文字（「セキュリティカメラ画像」）のみが記載されている。
【０１００】
図７（Ｂ）に示す例では、コンテンツ名に、コンテンツの内容（種類）を表す文字の他に、位置情報として、施設および階数とカメラ２の名前とが記載されている。なお、コンテンツ名では、各情報が記号（＃）で区切られている。また、施設の階数を指定せずに、施設全体を対象としたり、施設（例えばデパート）の特定のエリア（例えばおもちゃ売り場）に限定したりするようにしてもよい。
【０１０１】
図７（Ｃ）に示す例では、コンテンツ名に、コンテンツの内容（種類）を表す文字情報および位置情報に加えて、時間情報として、撮影期間の日時（年月日、撮影開始時刻および撮影終了時刻）が記載されている。
【０１０２】
図７（Ｄ）に示す例では、コンテンツ名に、コンテンツの内容（種類）を表す文字情報の他に、位置情報として地名が記載され、また、時間情報として、撮影期間の日時（年月日、撮影開始時刻および録画時間）が記載されている。なお、位置情報では、市区町を限定せずに、県全体に拡大したり、地番まで指定して範囲を限定したりするようにしてもよい。
【０１０３】
図７（Ｅ）に示す例では、コンテンツ名に、コンテンツの内容（種類）を表す文字情報および時間情報の他に、位置情報として経度および緯度が記載されている。
【０１０４】
図７（Ｆ）に示す例では、コンテンツ名に、コンテンツの内容（種類）を表す文字情報の他に、カメラを管理している組織またはコンテンツの管理組織（警察署）の名前と、カメラ２の名前とが記載されている。このコンテンツ名では、コンテンツの所在を階層化する記号（／）で情報が区切られており、図７（Ｆ）に示す例では、警察署が管理しているカメラＡで撮影されたセキュリティカメラ画像を指定することができる。
【０１０５】
次に、ルータ４の記憶部４３のＦＩＢ、ＰＩＴおよびＣＳの登録内容について説明する。図８は、ＦＩＢ、ＰＩＴおよびＣＳの登録内容の一例を示す説明図である。
【０１０６】
図８（Ａ）に示すように、ＦＩＢには、コンテンツ名と、インタレスト転送フェースとが登録される。この図８（Ａ）に示す例では、セキュリティカメラ画像を要求するインタレストを受信した場合に、フェース１にインタレストを転送することを表す。
【０１０７】
図８（Ｂ）に示すように、ＰＩＴには、コンテンツ名と、インタレスト受信フェース（コンテンツ転送フェース）とが登録される。この図８（Ｂ）に示す例では、カメラＡのセキュリティカメラ画像を指定したインタレストをフェース０にて受信したこと、また、カメラＢのセキュリティカメラ画像を指定したインタレストをフェース２にて受信したことを表す。
【０１０８】
図８（Ｃ）に示すように、ＣＳには、コンテンツ名と、インタレスト付随情報と、コンテンツのファイルデータの保存位置（アドレス）とが登録される。
【０１０９】
次に、インタレスト付随情報に必要な情報を付加する例について説明する。図９は、インタレスト付随情報の一例を示す説明図である。
【０１１０】
図７に示した例では、検索条件情報（位置情報や時間情報など）をコンテンツ名に含めるようにしたが、図９に示す例では、検索条件情報をインタレスト付随情報に含めるようにしている。
【０１１１】
なお、図９に示す例では、コンテンツの内容（種類）を表す文字（「セキュリテカメラィ画像」）もインタレスト付随情報に含まれるが、これは、コンテンツ名に記載するようにしてもよい。
【０１１２】
図９（Ａ）に示す例では、インタレスト付随情報に、位置情報として施設の名前および階数が記載され、時間情報として、撮影期間を表す日時（年月日、撮影開始時刻および撮影終了時刻）が記載されている。ユーザ端末１でコンテンツを受信したときに、受信したコンテンツの前後の時間帯のコンテンツをさらに取得したい場合があり、この場合、インタレスト付随情報で時間を指定すればよい。
【０１１３】
図９（Ｂ）に示す例では、インタレスト付随情報に、位置情報として地名とカメラ２の名前とが記載され、また、時間情報として、撮影期間を表す日時（年月日、撮影開始時刻および撮影時間）が記載されている。
【０１１４】
図９（Ｃ）に示す例では、インタレスト付随情報に、時間情報の他に、位置情報として、経度および緯度が記載されている。
【０１１５】
図９（Ｄ）に示す例では、インタレスト付随情報に、位置情報の他に、探索対象識別情報として、人物の属性（性別、年齢、背格好）が記載されている。このように人物の属性を指定することで、照合結果の精度を高めることができる。この場合、ルータ４、カメラ２およびサーバ３において、コンテンツ（カメラ画像）に対する画像認識により人物の属性を取得する。
【０１１６】
なお、ルータ４、カメラ２、サーバ３に保持されるコンテンツには、コンテンツに付随する情報がコンテンツ付随情報として付加されている。ルータ４、カメラ２、サーバ３では、インタレストに付加されたインタレスト付随情報を受信すると、インタレスト付随情報の検索条件とコンテンツ付随情報とを照合して、検索条件に該当するコンテンツを検索する。
【０１１７】
また、図９に示す例では、検索条件をインタレスト付随情報に含めるようにしたが、検索条件をコンテンツ名に含めるとともに、別の検索条件をインタレスト付随情報に含めるようにしてもよい。
【０１１８】
次に、図９に示した例の場合のＣＳの登録内容について説明する。図１０は、ＣＳの登録内容の一例を示す説明図である。ＣＳの登録は、ルータ４の場合はインタレストの応答としてコンテンツを受信したときに行われる。またカメラ２の場合はコンテンツを作成したときに行われる。またサーバ３の場合はカメラ２からコンテンツを受信したときに行われる。またルータ４の場合は、カメラ２からサーバ３にコンテンツが転送されるときにも行われる。
【０１１９】
図９に示した例では、検索条件を含むインタレスト付随情報をインタレストに付加して送信するようにしており、この場合、インタレストを受信したルータ４は、記憶部４３のＣＳを検索し、コンテンツ名と、検索条件を含むインタレスト付随情報を用いて、該当するコンテンツを保持していないか確認する。該当するコンテンツを保持している場合には、ＣＳに登録されているコンテンツのファイルデータの保存位置（アドレス）を用いてコンテンツを取り出し、インタレストの送信元にコンテンツを送信する。
【０１２０】
図１０に示した例では、ルータ４はコンテンツを受信したときにＣＳにコンテンツ名と、コンテンツに付随したコンテンツ付随情報と、コンテンツのファイルデータの保存位置（アドレス）を登録する。
【０１２１】
図１０（Ａ）に示す例は、対象エリアがデパート（特定の施設）の場合であり、コンテンツ名として、コンテンツの内容（種類）を表す文字（「セキュリティカメラ画像」）が登録され、コンテンツ付随情報として、位置情報（カメラ２の設置場所および名前）と、時間情報（撮影の年月日、開始時刻および終了時刻）とが登録されている。
【０１２２】
図１０（Ｂ）に示す例は、対象エリアが地域の場合であり、コンテンツ名として、コンテンツの内容（種類）を表す文字（「セキュリティカメラ画像」）と、カメラ２の名前とが登録され、コンテンツ付随情報として、位置情報（カメラ２の設置場所を表す緯度および経度）と、時間情報（撮影の年月日、開始時刻および終了時刻）とが登録されている。
【０１２３】
次に、ユーザ端末１の動作について説明する。図１１は、ユーザ端末１の動作手順を示すフロー図である。
【０１２４】
ユーザ端末１では、まず、インタレスト送信制御部１６において、ユーザ（探索者）が指定した探索対象となる人物の顔画像を取得する（ＳＴ１０１）。また、ユーザが入力した検索条件情報（位置情報および時間情報など）を取得する（ＳＴ１０２）。次に、検索条件情報および顔画像を含むコンテンツ名（「セキュリティカメラ画像」など）やインタレスト付随情報が付加されたインタレストを生成して、そのインタレストをコンテンツ中心ネットワークに送信する（ＳＴ１０３）。
【０１２５】
そして、送信したインタレストに対応するコンテンツ（カメラ画像）を所定時間内に受信できない場合には（ＳＴ１０４でＮｏ）、検索条件情報の取得（ＳＴ１０２）に戻り、ユーザに検索条件を変更する操作を行わせて、新たな検索条件情報を取得した上で、インタレストを再度送信する（ＳＴ１０３）。このとき、位置情報として指定する場所の範囲を拡大したり、時間情報として指定する期間の範囲を拡大したりするなどの検索条件の変更が行われる。
【０１２６】
一方、所定時間内にコンテンツ（カメラ画像）を受信した場合には（ＳＴ１０４でＹｅｓ）、解析処理部１７において、受信したコンテンツに対して解析処理を行う（ＳＴ１０５）。そして、解析処理の結果、すなわち、探索対象となる人物に関する情報を生成して、その情報を、表示部１５に表示してユーザに提示する（ＳＴ１０６）。
【０１２７】
解析処理（ＳＴ１０５）では、複数のコンテンツを受信すると、各コンテンツの時間情報（撮影時刻）に基づいて、複数のコンテンツを時系列に並べ、各コンテンツの位置情報（撮影場所）に基づいて、探索対象とした人物が移動した経路に関する移動経路情報を生成する。このとき、コンテンツの撮影時刻や撮影場所から人物の移動経路として矛盾するコンテンツがあれば、そのコンテンツを除外する。
【０１２８】
次に、探索対象とした人物の移動経路情報に基づいて、探索対象とした人物が現在滞在する場所を推定し、探索対象とした人物がその場所に存在する確率を算出する。例えば、迷子がおもちゃ売り場で歩き疲れて休んでいる場合のように、長時間同じ場所に滞在している場合には、その場所にまだ滞在していると推定することができる。また、例えば、最後のコンテンツ（カメラ画像）に、探索対象とした人物がデパートから出て行くところが映っている場合には、デパートの外にいると推定することができる。
【０１２９】
なお、本実施形態では、インタレストで指定した検索条件に該当するコンテンツ（カメラ画像）が存在するが、探索対象となる人物が映ったコンテンツが見つからなかった旨の照合失敗通知が、コンテンツの要求元のユーザ端末１に送信されるようにしており、この照合失敗通知をユーザ端末１が受信した場合も、検索条件を変更して、インタレストを再度送信する。
【０１３０】
次に、解析結果として、推定した探索対象とした人物の現在の滞在場所、およびその場所に存在する確率を表示部１５に表示する。
【０１３１】
また、推定した探索対象とした人物の滞在場所を撮影するカメラ２を特定して、そのカメラ２に現在の映像の送信を指示して、推定した場所の映像をリアルタイムで表示部１５に表示させる。これにより、ユーザは、推定した場所に探索対象とした人物が現在もいるか否かを確認することができる。
【０１３２】
なお、本実施形態では、受信したコンテンツを解析して各種の情報を生成する解析処理を行うようにしたが、受信したコンテンツ（カメラ画像）を単に表示部１５に表示するようにしてもよい。この場合、コンテンツを時系列に並べて表示するとよい。
【０１３３】
また、解析処理は、インタレストの送信およびコンテンツの受信を行うユーザ端末１とは別の解析装置（情報処理装置）で行うようにしてもよい。
【０１３４】
次に、ルータ４のインタレスト受信時の動作について説明する。図１２は、ルータ４のインタレスト受信時の動作手順を示すフロー図である。
【０１３５】
ルータ４では、まず、インタレストを通信部４１のフェース（例えばフェース０）で受信すると（ＳＴ２０１）、検索処理部４５において、インタレストで指定された検索条件、すなわち、インタレストのコンテンツ名やインタレスト付随情報に含まれる検索条件（例えば「セキュリティカメラ画像」など）に該当するコンテンツ（カメラ画像）を記憶部４３のＣＳの中から検索する（ＳＴ２０２）。このとき、完全一致で検索すればよいが、部分一致で検索するようにしてもよい。
【０１３６】
なお、他のルータ４などで照合処理がなされるコンテンツについては、ＳＴ２０２で検索をする必要がない。この場合は、検索条件に、他のルータ４で照合処理がなされるコンテンツのコンテンツ付随情報が含まれるため、このコンテンツ付随情報のコンテンツは検索せずに処理を終了してよい。
【０１３７】
そして、検索の結果、検索条件に該当するコンテンツがＣＳに存在しない場合には（ＳＴ２０３でＮｏ）、インタレスト転送制御部４７において、記憶部４３のＦＩＢを参照して、インタレストの転送先、例えば隣接するルータ４やサーバ３などを決定して、その転送先のフェース（例えばフェース１）からインタレストを転送する（ＳＴ２０４）。このとき、記憶部４３のＰＩＴにインタレストの送信元のフェース（例えばフェース０）を登録する。
【０１３８】
一方、検索条件に該当するコンテンツがＣＳに存在する場合には（ＳＴ２０３でＹｅｓ）、次に、インタレスト転送制御部４７において、検索条件に該当するコンテンツ、すなわち、人物の顔画像の照合処理を行うコンテンツのコンテンツ名を、コンテンツの属性情報（位置情報や時間情報など）であるコンテンツ付随情報とともにインタレストに付加して転送する（ＳＴ２０５）。
【０１３９】
次に、照合処理部４６において、インタレストに付加された探索対象となる人物の顔画像を用いて、検索で見つかったコンテンツ（カメラ画像）に探索対象となる人物が映っているか否かの照合処理を行う（ＳＴ２０６）。この照合処理では、例えば、照合処理の対象となるコンテンツから人物の顔画像を抽出して、その人物の顔画像と、インタレストに付加された顔画像とを照合して、同一人物が否かを判定すればよい。
【０１４０】
そして、照合処理の結果、探索対象となる人物が映るコンテンツが見つかった場合には（ＳＴ２０７でＹｅｓ）、そのコンテンツを、コンテンツの要求元のフェース（例えばフェース０）から送信する（ＳＴ２０８）。
【０１４１】
一方、探索対象となる人物が映るコンテンツが見つからなかった場合には（ＳＴ２０７でＮｏ）、通知制御部４８において、検索条件に該当するコンテンツが存在するが、探索対象となる人物が映るコンテンツが見つからなかった旨の照合失敗通知を、コンテンツの要求元のフェース（例えばフェース０）から送信する（ＳＴ２０９）。
【０１４２】
このように本実施形態では、照合処理を開始する前に、インタレストに照合処理を行うコンテンツ名とコンテンツ付随情報を付加して転送する。この処理は、照合処理に時間を要することが考えられるための対処であり、照合処理にあまり時間がかからない場合には照合処理の結果が出てから、照合処理で探索対象となる人物の画像を含むコンテンツがないという結果もコンテンツ名とコンテンツ付随情報とあわせてインタレストに付加して転送してもよい。照合処理の結果、探索対象の人物の画像を含むコンテンツがある場合は、要求元にコンテンツを送信するため、インタレストを転送する必要はない。
【０１４３】
照合処理をおこなうコンテンツ名とコンテンツ付随情報をインタレストに付加して転送すると、そのインタレストを受信したルータ４は同じコンテンツ名およびコンテンツ付随情報のコンテンツに対して照合処理をすることを回避することができる。複数のルータ４が同じコンテンツを保持する可能性があるのは、カメラ２からサーバ３の転送経路上のルータ４は同じコンテンツを持っている可能性があるためである。また、インタレストを要求した端末とそのインタレストに応答したルータ４またはサーバ３またはカメラ２との間の経路上に存在するルータ４は同じコンテンツを持っている可能性があるためである。ネットワークに接続する複数の異なる端末が同じコンテンツを異なる時間に要求することもあるため、インタレストに応じるルータ４はそれぞれ異なることが考えられる。
【０１４４】
インタレストに照合処理を行っているコンテンツ名及びコンテンツ付随情報を含めることにより、転送先の他のルータ４などの装置は、当該識別情報のコンテンツは照合処理をしなくてよいので、自装置と他のルータ４などの装置とで、同一のコンテンツに対する照合処理が重複して行われることを回避することができる。
【０１４５】
例えば、位置情報の場合では、インタレストに指定している位置の範囲が広くて、照合処理するカメラ画像がその範囲の一部でしかない場合、インタレスとにコンテンツ付属情報を含めることで、他のルータは同じ位置の範囲は照合処理しないことが可能となる。また、例えば、時間の場合では、インタレストに指定している時間の範囲が広くて、カメラ画像がその一部の時間の画像だけの場合、インタレストにコンテンツ付属情報を含めることで、同じ時間範囲のカメラ画像に対しては照合処理をせず、それ以外の時間のカメラ画像にだけ照合処理を行うことが可能となる。
【０１４６】
なお、本実施形態では、探索対象となる人物が映るコンテンツ（カメラ画像）が見つかった場合に、そのコンテンツをコンテンツの要求元に送信するようにしたが、探索対象となる人物が映るコンテンツが見つかった旨の照合成功通知をコンテンツの要求元に送信するようにしてもよい。このとき、照合成功通知に、コンテンツの属性情報（位置情報や時間情報など）を付加することで、探索対象となる人物の状況をユーザが把握することができる。
【０１４７】
また、本実施形態では、探索対象となる人物が映るコンテンツが見つからなかった場合に、照合失敗通知をコンテンツの要求元に送信するようにしたが、特に通知を送信しないようにしてもよい。
【０１４８】
次に、カメラ２およびサーバ３のインタレスト受信時の動作について説明する。
【０１４９】
カメラ２およびサーバ３のインタレスト受信時の動作は、ルータ４の場合（図１２参照）と略同様であるが、インタレストの転送を行わない点が、ルータ４の場合と異なっている。
【０１５０】
すなわち、カメラ２およびサーバ３では、インタレストを受信すると、インタレストで指定された検索条件に該当するコンテンツ（カメラ画像）をＣＳの中から検索する。そして、検索条件に該当するコンテンツがＣＳに存在する場合には、インタレストに付加された顔画像を用いて、探索対象となる人物が映っているか否かの照合処理を行う。そして、照合処理の結果、探索対象となる人物が映るコンテンツが見つかった場合には、そのコンテンツをコンテンツの要求元のユーザ端末１に送信する。一方、探索対象となる人物が映るコンテンツが見つからなかった場合には、照合失敗通知をコンテンツの要求元のユーザ端末１に送信する。
【０１５１】
以上のように、本実施形態では、探索対象となる人物の顔画像をインタレストに付加して送信することで、探索対象となる人物の画像が含まれるコンテンツ（カメラ画像）をルータ４、カメラ２およびサーバ３から集めて、探索対象となる特定の人物を見つけ出す人物探索を行うようにしたが、この人物探索により、様々な人物を見つけ出すことができる。
【０１５２】
例えば、迷子を探索する用途で人物探索を行うことができる。デパートなどの施設で子供が迷子になった場合、施設内に設置されたカメラ２の画像に迷子になった子供が映っている場合がある。そこで、このようなカメラ２によるコンテンツ（カメラ画像）を収集することで、迷子になった子供の居場所を推測することができ、また、どのような経路で移動したかを把握することができる。
【０１５３】
また、家族などの被災者を探索する用途で人物探索を行うことができる。被災地では、被災者が道や道路を歩いて避難所に避難することから、道路や避難所などを撮影するカメラ２の画像に被災者が映っている場合がある。そこで、このようなカメラ２によるコンテンツ（カメラ画像）を収集することで、被災者がどこの避難所に避難しているのか（避難場所）、また、どのような経路で避難したか（避難経路）を把握することができる。
【０１５４】
また、犯人を探索する用途で人物探索を行うことができる。犯人は、犯行現場から道路を使って逃走することから、犯行現場の周辺の道路などを撮影するカメラ２の画像に犯人が映っている場合がある。そこで、このようなカメラ２によるコンテンツ（カメラ画像）を収集することで、犯人がどのような経路で逃走しているのか（逃走経路）を把握することができる。
【０１５５】
（第１実施形態の変形例）
次に、第１実施形態の変形例について説明する。なお、ここで特に言及しない点は前記の実施形態と同様である。
【０１５６】
第１実施形態では、ルータ４、カメラ２およびサーバ３が、インタレストで指定された検索条件に該当するコンテンツ（カメラ画像）を保持している場合に、そのコンテンツに対する照合処理を行うようにしたが、本変形例では、検索条件に該当するコンテンツを保持している場合でも、所定の条件が成立する場合には、検索条件に該当するコンテンツの照合処理を自装置で行わず、そのコンテンツの照合処理を近隣の別の装置に依頼するようにする。
【０１５７】
特に、本変形例では、検索条件に該当するコンテンツを自装置で照合処理を行わない場合に、そのコンテンツをインタレストとともに他の装置に送信する。他の装置は、コンテンツおよびインタレストを受信すると、コンテンツに対して照合処理を行う。これにより、検索条件に該当するコンテンツを他の装置が保持していない場合でも、照合処理を行うことができる。
【０１５８】
なお、照合処理の依頼先は、不特定としてもよいが、特定の装置、例えばコンテンツの要求元のユーザ端末１としてもよい。この場合、検索条件に該当するコンテンツをインタレストとともにユーザ端末１に送信して、ユーザ端末１で、受信したコンテンツの照合処理が行われる。
【０１５９】
次に、第１実施形態の変形例に係るルータ４のインタレスト受信時の動作について説明する。図１３は、ルータ４のインタレスト受信時の動作手順を示すフロー図である。
【０１６０】
本変形例では、第１実施形態（図１２参照）と同様に、インタレストの受信（ＳＴ２０１）、およびコンテンツの検索（ＳＴ２０２）を行う。
【０１６１】
そして、検索の結果、検索条件に該当するコンテンツがＣＳに存在する場合には（ＳＴ２０３でＹｅｓ）、次に、照合処理を自装置で実施するか否かを判定する（ＳＴ２１１）。ここで、照合処理を自装置で実施しない場合には（ＳＴ２１１でＮｏ）、検索条件に該当するコンテンツ、すなわち、照合処理の対象となるコンテンツをインタレストとともに他の装置（例えばコンテンツの要求元のユーザ端末１）に送信する（ＳＴ２１２）。
【０１６２】
一方、照合処理を自装置で実施する場合には（ＳＴ２１１でＹｅｓ）、検索条件に該当するコンテンツ、すなわち、照合処理の対象となるコンテンツのコンテンツ名およびコンテンツ付随情報をインタレストに付加して転送する（ＳＴ２０５）。以降は、第１実施形態（図１２参照）と同様である。また、検索条件に該当するコンテンツがＣＳに存在しない場合（ＳＴ２０３でＮｏ）に行われるインタレストの転送（ＳＴ２０４）も、第１実施形態と同様である。
【０１６３】
次に、ＳＴ２１１における照合処理を自装置で実施するか否かに関する判定方法について説明する。
【０１６４】
まず、照合処理を自装置で実施するか否かに関する判定を、自装置の制御部（プロセッサ）の負荷に基づいて行う。すなわち、自装置の制御部４２の負荷を計測して、その負荷が所定の基準より大きい場合には、自装置で照合処理を行わないようにする。また、自装置と他装置との間で負荷状態を比較して、自装置より負荷が小さい装置がある場合に、その装置に照合処理を任せる。
【０１６５】
また、照合処理を自装置で実施するか否かに関する判定を、自装置で照合処理の待ち状態となっている件数に基づいて行う。すなわち、複数のインタレストを受信した場合、受付順にコンテンツの照合処理を行うが、このとき、１つのインタレストに対応するコンテンツの照合処理が終了する前に別のインタレストを受信すると、照合処理の待ち状態となる。このような照合処理の待ち状態となっている件数（照合処理待ち件数）が所定数以上であれば、自装置で照合処理を行わないようにする。また、自装置と他装置との間で照合処理待ち件数を比較して、自装置より照合処理待ち件数が少ない装置がある場合に、その装置に照合処理を任せる。
【０１６６】
また、照合処理を自装置で実施するか否かに関する判定を、自装置および他装置の処理能力に基づいて行う。すなわち、自装置と他装置との間で処理能力を比較して、自装置より処理能力の高い装置がある場合に、その装置に照合処理を任せる。
【０１６７】
なお、照合処理を自装置と他装置とで分担するようにしてもよい。例えば、検索条件に該当するコンテンツが４つ見つかった場合、２つのコンテンツの照合処理を自装置で行い、残りの２つのコンテンツをインタレストとともに他装置に送信して、その２つのコンテンツの照合処理を他装置に行わせる。
【０１６８】
また、自装置と他装置との間で、処理能力や負荷状態や照合処理待ち件数を比較する場合には、インタレストやコンテンツを送信する際に、そのインタレストやコンテンツに、自装置の処理能力や負荷状態や照合処理待ち件数に関する情報を付加して通知して、近隣の装置の間で、処理能力や負荷状態や照合処理待ち件数に関する情報を共有するようにするとよい。また、情報共有のための専用のメッセージを定期的に交換するようにしてもよい。なお、処理能力に関する情報としては、照合処理を高速に実行するＧＰＵ（Graphics Processing Unit）の搭載の有無に関する情報などである。また、負荷状態や照合処理待ち件数では、最新の情報が交換されるようにするとよい。
【０１６９】
（第２実施形態）
次に、第２実施形態について説明する。なお、ここで特に言及しない点は前記の実施形態と同様である。図１４は、第２実施形態に係る通信システムの全体構成図である。
【０１７０】
第１実施形態では、探索対象となる人物の顔画像（画像情報）に基づいて、探索対象となる人物が映るコンテンツ（カメラ画像）を収集するようにしたが、本実施形態では、探索対象となる人物の名前（探索対象識別情報、文字情報）に基づいて、探索対象となる人物が掲載されたコンテンツ（例えば、避難者安否リスト）を収集するようにする。このコンテンツ（避難者安否リスト）には、避難所の名前、避難所に避難している人物の名前、健康状態や負傷の程度などに関する情報が含まれており、このコンテンツ（避難者安否リスト）を取得することで、探索対象となる人物が滞在する避難場所をユーザ（探索者）が把握して、安否確認を行うことができる。
【０１７１】
本実施形態に係る通信システムは、ユーザ端末１と、複数の避難所端末５（通信装置、コンテンツ蓄積装置）と、サーバ３と、ルータ４と、を備えている。
【０１７２】
ユーザ端末１は、ユーザ（探索者）が操作するものである。避難所端末５は、避難所に設置されて、コンテンツ（避難者安否リスト）を作成するものであり、避難所端末５からコンテンツが定期的にサーバ３に送信される。サーバ３は、各避難所の避難者状況を管理するものであり、避難所端末５から送信される各避難所のコンテンツ（避難者安否リスト）を保持する。ルータ４は、避難所端末５からサーバ３へのコンテンツの送信を中継するものであり、避難所端末５からサーバ３にコンテンツを送信する経路上に位置するルータ４は、送信元の避難所端末５のコンテンツを保持する。
【０１７３】
コンテンツの要求元のユーザ端末１では、ユーザが検索条件および探索対象となる人物の名前を入力して、その検索条件および探索対象となる人物の名前をインタレストに付加して送信する。
【０１７４】
ルータ４、避難所端末５およびサーバ３では、インタレストを受信すると、インタレストで指定された検索条件（避難者安否リスト）に該当するコンテンツを検索し、次に、インタレストに付加された人物の名前（探索対象識別情報）を用いて、検索で見つかったコンテンツに対して照合処理を行って、探索対象となる人物が記載されたコンテンツ（避難者安否リスト）を取得して、そのコンテンツを、コンテンツの要求元（インタレストの送信元）のユーザ端末１に送信する。
【０１７５】
なお、避難所端末５は、カメラ２（図３参照）から撮像部２１を省略し、避難者安否リストを作成するための入力部および表示部を備えた構成となる。
【０１７６】
次に、第２実施形態に係るコンテンツ名について説明する。図１５は、コンテンツ名の一例を示す説明図である。
【０１７７】
図１５に示す例では、コンテンツの内容（種類）を表す文字情報や、検索条件情報（位置情報や時間情報など）をコンテンツ名に含めるようにしている。
【０１７８】
図１５（Ａ）に示す例では、コンテンツ名に、コンテンツの内容（種類）を表す文字（避難者安否リスト）のみが記載されている。
【０１７９】
図１５（Ｂ）に示す例では、コンテンツ名に、コンテンツの内容（種類）を表す文字（避難者安否リスト）の他に、位置情報として、地名が記載されている。
【０１８０】
また、図１５（Ｃ）に示す例では、コンテンツ名に、コンテンツの内容（種類）を表す文字や位置情報に加えて、時間情報として、コンテンツの更新時間が記載されている。避難所では避難者が徐々に増えるため、避難者安否リストが古い場合には、探索対象となる人物が記載されていない場合があり、この場合、新しい避難者安否リストが送信されるように更新時間を指定する。
【０１８１】
次に、第２実施形態に係るインタレスト付随情報について説明する。図１６は、インタレスト付随情報の一例を示す説明図である。
【０１８２】
図１５に示した例では、検索条件情報（位置情報や時間情報など）をコンテンツ名に含めるようにしたが、図１６に示す例では、探索対象識別情報や検索条件情報（位置情報および時間情報）をインタレスト付随情報に含めるようにしている。
【０１８３】
なお、図１６に示す例では、コンテンツの内容（種類）を表す文字（「避難者安否リスト」）もインタレスト付随情報に含まれるが、これは、コンテンツ名に記載するようにしてもよい。
【０１８４】
図１６（Ａ）に示す例では、インタレスト付随情報に、探索対象識別情報として、探索対象となる人物の名前が記載されている。
【０１８５】
図１６（Ｂ）に示す例では、インタレスト付随情報に、位置情報として、地名が記載されている。この場合、インタレスト付随情報に探索対象となる人物の名前が記載されていないため、コンテンツ（避難者安否リスト）に人物の名前が記載されているか否かの照合処理は行われない。
【０１８６】
図１６（Ｃ）に示す例では、インタレスト付随情報に、探索対象となる人物の名前と、地名とが記載されている。
【０１８７】
図１６（Ｄ）に示す例では、インタレスト付随情報に、探索対象となる人物の名前および地名に加えて、人物の属性（性別、年齢、背格好）が記載されている。人物の名前だけでは、同姓同名の別人と区別されずにコンテンツが送信されるが、人物の属性を指定することで、送信されるコンテンツを絞り込むことができる。なお、意識が無く名前が不明な人物や、まだ自分の名前を伝えることができない子供の場合に避難者安否リストに名前が掲載されないこともあるため、人物の名前を指定せずに人物の属性のみを指定するようにしてもよい。
【０１８８】
図１６（Ｅ）に示す例では、インタレスト付随情報に、探索対象となる人物の名前および地名に加えて、コンテンツの更新時間が記載されている。これにより、送信されるコンテンツを新しいものに絞り込むことができる。
【０１８９】
次に、第２実施形態に係るルータ４のインタレスト受信時の動作について説明する。図１７は、ルータ４のインタレスト受信時の動作手順を示すフロー図である。
【０１９０】
ルータ４では、まず、インタレストを通信部４１のフェース（例えばフェース０）で受信すると（ＳＴ３０１）、検索処理部４５において、インタレストで指定された検索条件、すなわち、インタレストのコンテンツ名やインタレスト付随情報に含まれる検索条件（例えば「避難者安否リスト」など）に該当するコンテンツ（避難者安否リスト）を記憶部４３のＣＳの中から検索する（ＳＴ３０２）。このとき、完全一致で検索すればよいが、部分一致で検索するようにしてもよい。
【０１９１】
なお、他のルータ４などで照合処理がなされるコンテンツについては、ＳＴ３０２で検索をする必要がない。この場合は、検索条件に、他のルータ４で照合処理がなされるコンテンツのコンテンツ付随情報が含まれるため、このコンテンツ付随情報のコンテンツは検索せずに処理を終了してよい。
【０１９２】
そして、検索の結果、検索条件に該当するコンテンツがＣＳに存在しない場合には（ＳＴ３０３でＮｏ）、インタレスト転送制御部４７において、記憶部４３のＦＩＢを参照して、インタレストの転送先、例えば隣接するルータ４やサーバ３などを決定して、その転送先のフェース（例えばフェース１）からインタレストを転送する（ＳＴ３０４）。このとき、記憶部４３のＰＩＴにインタレストの送信元のフェース（例えばフェース０）を登録する。
【０１９３】
一方、検索条件に該当するコンテンツがＣＳに存在する場合には（ＳＴ３０３でＹｅｓ）、次に、インタレスト転送制御部４７において、検索条件に該当するコンテンツ、すなわち、照合処理を行うコンテンツのコンテンツ名を、コンテンツの属性情報（位置情報や時間情報など）であるコンテンツ付随情報とともにインタレストに付加して転送する（ＳＴ３０５）。
【０１９４】
次に、照合処理部４６において、インタレストに付加された探索対象となる人物の名前を用いて、検索で見つかったコンテンツ（避難者安否リスト）に探索対象となる人物の名前が記載されているか否かの照合処理を行う（ＳＴ３０６）。
【０１９５】
そして、照合処理の結果、探索対象となる人物の名前が記載されたコンテンツが見つかった場合には（ＳＴ３０７でＹｅｓ）、そのコンテンツを、コンテンツの要求元のフェース（例えばフェース０）から送信する（ＳＴ３０８）。
【０１９６】
一方、探索対象となる人物の名前が記載されたコンテンツが見つからなかった場合には（ＳＴ３０７でＮｏ）、通知制御部４８において、検索条件に該当するコンテンツが存在するが、探索対象となる人物の名前が記載されたコンテンツが見つからなかった旨の照合失敗通知を、コンテンツの要求元のフェース（例えばフェース０）から送信する（ＳＴ３０９）。
【０１９７】
なお、本実施形態では、探索対象となる人物の名前が記載されたコンテンツ（避難者安否リスト）が見つかった場合に、そのコンテンツをコンテンツの要求元に送信するようにしたが、コンテンツの一部、すなわち、探索対象となる人物に関する部分をコンテンツから抽出して、そのコンテンツの一部のみをコンテンツの要求元に送信するようにしてもよい。これにより、探索対象となる人物以外の人物のプライバシーを保護することができる。
【０１９８】
また、本実施形態では、探索対象となる人物の名前が記載されたコンテンツが見つからなかった場合に、照合失敗通知をコンテンツの要求元に送信するようにしたが、特に通知を送信しないようにしてもよい。
【０１９９】
次に、第２実施形態に係るユーザ端末１の動作（図示せず）について説明する。
【０２００】
ユーザ端末１では、まず、ユーザ（探索者）が指定した探索対象となる人物の名前や検索条件情報（位置情報および時間情報など）を取得して、探索対象となる人物の名前や検索条件情報を含むコンテンツ名（「避難者安否リスト」など）やインタレスト付随情報が付加されたインタレストを生成して、そのインタレストをコンテンツ中心ネットワークに送信する。
【０２０１】
そして、送信したインタレストに対応するコンテンツ（避難者安否リスト）を受信すると、そのコンテンツを表示部１５に表示してユーザに提示する。これにより、探索対象とした人物の名前がコンテンツに記載されていることをユーザ（探索者）が確認することで、探索対象とした人物がどの避難所にいるかをユーザが把握することができる。また、コンテンツに人物の状態（健康状態や負傷の程度など）が記載されていれば、探索対象とした人物の状態をユーザが把握することができる。
【０２０２】
また、内容が異なる複数のコンテンツ（避難者安否リスト）を受信する場合がある。例えば、人物を特定する情報として名前のみをインタレストに付加して送信した場合、同一の名前の別人に関するコンテンツを受信することもある。この場合、コンテンツに人物の属性情報が記載されていれば、その属性情報に基づいて、本人か別人かを判断して、本人の避難所を把握することができる。また、探索対象とした人物が避難所を変更した場合にも、複数のコンテンツを受信することがある。この場合、コンテンツの更新時間に基づいて、最新の避難所を把握することができる。
【０２０３】
また、送信したインタレストに対応するコンテンツを所定時間内に受信しない場合は、検索条件（位置情報や時間情報）を変更して、インタレストを再度送信する。すなわち、位置情報として指定する場所の範囲を拡大したり、時間情報として指定する期間の範囲を拡大したりするなどの検索条件の変更を行う。また、インタレストで指定した検索条件に該当するコンテンツ（避難者安否リスト）が存在するが、探索対象となる人物の名前が記載されたコンテンツが見つからなかった旨の照合失敗通知を受信した場合も、検索条件を変更して、インタレストを再度送信する。
【０２０４】
次に、第２実施形態に係る避難所端末５およびサーバ３のインタレスト受信時の動作（図示せず）について説明する。
【０２０５】
避難所端末５およびサーバ３のインタレスト受信時の動作は、ルータ４の場合（図１７参照）と略同様であるが、インタレストの転送を行わない点が、ルータ４の場合と異なっている。
【０２０６】
すなわち、避難所端末５およびサーバ３では、インタレストを受信すると、インタレストで指定された検索条件に該当するコンテンツ（避難者安否リスト）をＣＳの中から検索する。そして、検索条件に該当するコンテンツがＣＳに存在する場合には、インタレストに付加された人物の名前を用いて、探索対象となる人物がコンテンツに記載されているか否かの照合処理を行う。そして、照合処理の結果、探索対象となる人物が記載されたコンテンツが見つかった場合には、そのコンテンツをコンテンツの要求元のユーザ端末１に送信する。一方、探索対象となる人物が映るコンテンツが見つからなかった場合には、照合失敗通知をコンテンツの要求元のユーザ端末１に送信する。
【０２０７】
（第２実施形態の変形例）
次に、第２実施形態の変形例について説明する。なお、ここで特に言及しない点は前記の実施形態と同様である。
【０２０８】
本変形例では、第１実施形態の変形例と同様に、ルータ４、カメラ２およびサーバ３が、検索条件に該当するコンテンツを保持している場合でも、所定の条件が成立する場合には、検索条件に該当するコンテンツの照合処理を自装置で行わず、そのコンテンツの照合処理を近隣の別の装置に依頼するようにする。
【０２０９】
次に、第２実施形態の変形例に係るルータ４のインタレスト受信時の動作について説明する。図１８は、ルータ４のインタレスト受信時の動作手順を示すフロー図である。
【０２１０】
本変形例では、第２実施形態（図１７参照）と同様に、インタレストの受信（ＳＴ３０１）、およびコンテンツの検索（ＳＴ３０２）を行う。
【０２１１】
そして、検索の結果、検索条件に該当するコンテンツがＣＳに存在する場合には（ＳＴ３０３でＹｅｓ）、次に、照合処理を自装置で実施するか否かを判定する（ＳＴ３１１）。ここで、照合処理を自装置で実施しない場合には（ＳＴ３１１でＮｏ）、検索条件に該当するコンテンツ、すなわち、照合処理の対象となるコンテンツをインタレストとともに他の装置（例えばコンテンツの要求元のユーザ端末１）に送信する（ＳＴ３１２）。
【０２１２】
一方、照合処理を自装置で実施する場合には（ＳＴ３１１でＹｅｓ）、検索条件に該当するコンテンツ、すなわち、照合処理の対象となるコンテンツのコンテンツ名をインタレストに付加して転送する（ＳＴ３０５）。以降は、第２実施形態（図１７参照）と同様である。また、検索条件に該当するコンテンツがＣＳに存在しない場合（ＳＴ３０３でＮｏ）に行われるインタレストの転送（ＳＴ３０４）も、第２実施形態と同様である。
【０２１３】
（第３実施形態）
次に、第３実施形態について説明する。なお、ここで特に言及しない点は前記の実施形態と同様である。
【０２１４】
前記の実施形態では、探索対象となる人物を識別するための探索対象識別情報（人物の顔画像や名前）や、検索条件情報（位置情報および時間情報など）を、インタレストに付加して送信するようにしたが、本実施形態では、探索対象識別情報や検索条件情報以外の様々な情報を、インタレスト付随情報としてインタレストに付加して送信するようにする。
【０２１５】
次に、第３実施形態に係るインタレスト付随情報について説明する。図１９は、インタレスト付随情報の一例を示す説明図である。
【０２１６】
図１９（Ａ），（Ｂ）に示す例では、インタレスト付随情報に、位置情報および時間情報の他に、検索処理の条件、照合処理の条件、コンテンツ（カメラ画像）の画像形式、および照合結果の通知方法などに関する種々の情報が記載されている。
【０２１７】
コンテンツ名検索方法の項目では、検索処理の条件として、コンテンツ名でコンテンツを検索する際の検索条件（全部一致、部分一致）が指定される。
【０２１８】
照合処理の項目では、照合処理の条件として、同一人物か否かの判定を顔画像で行う顔画像照合に加えて、同一人物か否かの判定を音声で行う音声照合や、同一人物か否かの判定を服装で行う服装照合が指定される。このように、顔画像照合以外の照合を組み合わせることで、照合の精度を高めることができる。
【０２１９】
なお、同一人物か否かの判定を、カバンなどの持ち物（所持品）で行う持ち物照合も可能である。また、音声照合を行う場合には、カメラ２が音声を録音する機能を備えたものとする。また、音声照合を行わせる場合には、探索対象となる人物の音声データをインタレストに付加する。また、服装照合や持ち物照合を行わせる場合には、探索対象となる人物の服装や持ち物の画像をインタレストに付加する。
【０２２０】
照合条件の項目では、照合処理の条件として、照合処理で同一人物か否かの判定を行う際の類似度のしきい値（５０％以上、８０％以上、９０％以上など）が指定される。
【０２２１】
画像形式の項目では、コンテンツの画像の形式（ｊｐｇ，ｇｉｆ，ｐｎｇ）が指定される。
【０２２２】
照合結果通知方法の項目では、探索対象となる人物が映るコンテンツが見つからなかった旨の照合失敗通知を行うか否か（照合処理ＮＧ通知、照合結果ＮＧ無視）が指定される。また、探索対象となる人物が映るコンテンツを送信する代わりに、探索対象となる人物が映るコンテンツが見つかった旨の照合成功通知のみを行うか否か（照合結果のみ通知）が指定される。
【０２２３】
また、照合結果通知方法の項目では、第１実施形態の変形例や第２実施形態の変形例で説明したように、インタレストで指定した検索条件に該当するコンテンツを他の装置に転送して照合処理を行わせる構成で、このような他装置による照合処理を行うか否か（「インタレストを転送」）が指定される。
【０２２４】
図１９（Ｃ）に示す例では、図１９（Ａ），（Ｂ）に示す例と同様に、照合処理の項目で、照合処理で同一人物か否かの判定を行う際の類似度のしきい値が指定され、また、照合処理の方法（顔画像照合、服装照合、持ち物照合など）が指定される。
【０２２５】
さらに、図１９（Ｃ）に示す例では、探索対象となる場所か否かの判定を匂いで行う匂い照合や、探索対象となるペット（動物）か否かの判定をペットの画像で行うペット画像照合や、探索対象となる紛失物か否かの判定を紛失物の画像で行う紛失物画像照合を指定するようにしている。
【０２２６】
なお、匂い照合を行わせる場合には、探索対象となる場所の匂いデータをインタレストに付加する。また、ペット画像照合を行わせる場合には、探索対象となるペットの画像をインタレストに付加する。また、紛失物画像照合を行わせる場合には、探索対象となる紛失物の画像をインタレストに付加する。
【０２２７】
また、図１９（Ｃ）に示す例では、属性データの項目で、探索対象となる人物の属性データとして、性別、年齢および身長などが指定される。この場合、コンテンツ（カメラ画像）で検出された人物の属性を推定する属性推定（性別推定、年齢推定、身長推定）が行われ、その推定結果に基づいて同一人物か否かを判定する照合処理が行われる。この属性に基づく照合は顔画像照合などと適宜に組み合わせることができる。なお、属性データを用いた照合を行わせる場合には、探索対象となる人物の属性データをインタレストに付加する。
【０２２８】
また、図１９（Ｃ）に示す例では、コンテンツを送信する際に、コンテンツ（カメラ画像）を暗号化するか否かが指定される。コンテンツを暗号化すると、コンテンツの要求元のユーザ端末１でのみコンテンツを復号して表示させることができ、人物のプライバシーを保護することができる。この場合、例えば、ユーザ端末１が保持する秘密鍵に対応する公開鍵をインタレストに付加してユーザ端末１から送信すればよく、コンテンツを送信するルータ４、カメラ２およびサーバ３では、受信した公開鍵を用いてコンテンツを暗号化して送信する。
【０２２９】
また、図１９（Ｃ）に示す例では、インタレストに付加する顔画像を暗号化するか否かが指定される。顔画像を暗号化すると、顔画像の人物のプライバシーを保護することができる。この場合、例えば、暗号化した顔画像を復号する鍵を予めルータ４、カメラ２およびサーバ３に配布しておき、ユーザ端末１において、顔画像を暗号化してインタレストに付加して送信する。ルータ４、カメラ２、サーバ３では、受信したインタレストに付加された顔画像を、予め配布された鍵を用いて復号して照合処理を行う。なお、ルータ４、カメラ２およびサーバ３の公開鍵をユーザ端末１が取得して、その公開鍵で暗号化した顔画像をインタレストに付加して送信するようにしてもよい。
【０２３０】
以上のように、本出願において開示する技術の例示として、実施形態を説明した。しかしながら、本開示における技術は、これに限定されず、変更、置き換え、付加、省略などを行った実施形態にも適用できる。また、上記の実施形態で説明した各構成要素を組み合わせて、新たな実施形態とすることも可能である。
【０２３１】
例えば、前記の実施形態では、ルータ、カメラおよびサーバを備え、これらの装置から、インタレストに対応するコンテンツを送信するようにしたが、カメラなどから送信されるコンテンツ（カメラ画像など）を保持する装置（例えばサーバ）とコンテンツ名とを対応付けて管理するデータベース、いわゆるＲＮ（ランデブーノード）を設けて、そのＲＮにユーザ端末が問い合わせることで、コンテンツを保持する装置をユーザ端末に通知するようにしてもよい。
【産業上の利用可能性】
【０２３２】
本発明に係る通信装置、通信システムおよびコンテンツ収集方法は、探索対象を識別する情報を用いた照合処理により、探索対象に関するコンテンツを適切に取得することができ、さらに、照合処理に要する時間を短縮して、ユーザが所望のコンテンツを短時間で取得することができる効果を有し、コンテンツ中心ネットワークに接続された通信装置、コンテンツ中心ネットワークに接続された通信装置およびコンテンツ蓄積装置を備える通信システム、および通信装置が、コンテンツ中心ネットワークを介してコンテンツ蓄積装置から、探索対象に関するコンテンツを収集するコンテンツ収集方法などとして有用である。
【符号の説明】
【０２３３】
１  ユーザ端末（通信装置）
２  カメラ（通信装置、コンテンツ蓄積装置）
３  サーバ（通信装置、コンテンツ蓄積装置）
４  ルータ（通信装置、コンテンツ蓄積装置）
５  避難所端末（通信装置、コンテンツ蓄積装置）
１１  通信部
１２  制御部
１３  記憶部
２２  通信部
２３  制御部
２４  記憶部
３１  通信部
３２  制御部
３３  記憶部
４１  通信部
４２  制御部
４３  記憶部
【図１】
2018169645.tif 000003
【図２】
2018169645.tif 000004
【図３】
2018169645.tif 000005
【図４】
2018169645.tif 000006
【図５】
2018169645.tif 000007
【図６】
2018169645.tif 000008
【図７】
2018169645.tif 000009
【図８】
2018169645.tif 000010
【図９】
2018169645.tif 000011
【図１０】
2018169645.tif 000012
【図１１】
2018169645.tif 000013
【図１２】
2018169645.tif 000014
【図１３】
2018169645.tif 000015
【図１４】
2018169645.tif 000016
【図１５】
2018169645.tif 000017
【図１６】
2018169645.tif 000018
【図１７】
2018169645.tif 000019
【図１８】
2018169645.tif 000020
【図１９】
2018169645.tif 000021
【手続補正書】
【提出日】平成30年4月17日(2018.4.17)
【手続補正１】
【補正対象書類名】特許請求の範囲
【補正対象項目名】全文
【補正方法】変更
【補正の内容】
【特許請求の範囲】
【請求項１】
コンテンツ中心ネットワークに接続された通信装置であって、
コンテンツを蓄積する記憶部と、
検索条件情報および探索対象の画像である探索対象識別情報が付加されたインタレストを受信する受信部と、
前記コンテンツを、コンテンツの要求元の通信装置に送信する送信部と、
前記記憶部に蓄積されたコンテンツの中から、前記検索条件情報に該当するコンテンツを検索する検索処理を行い、この検索処理で見つかった前記コンテンツの画像と、前記インタレストに含まれる前記探索対象の画像とを照合する照合処理を行って、前記探索対象の画像が含まれるコンテンツを取得し、前記探索対象の画像が含まれるコンテンツを取得した場合は、前記送信部によって、当該コンテンツをコンテンツの要求元の通信装置に送信し、一方、前記検索条件情報に該当するコンテンツを検索できない場合は、前記送信部によって、前記受信したインタレストを他の通信装置に転送する制御部と、
を備えることを特徴とする通信装置。
【請求項２】
前記受信部は、前記探索対象識別情報とともに、前記コンテンツの位置および時間に関する検索条件情報が、前記コンテンツ名またはインタレスト付随情報に付加されたインタレストを受信し、
前記制御部は、前記検索条件情報に基づいて前記検索処理を行うことを特徴とする請求項１に記載の通信装置。
【請求項３】
前記受信部は、前記探索対象識別情報として、探索対象となる人物の画像を含む前記インタレストを受信し、
前記制御部は、前記画像を用いた前記照合処理により、探索対象となる人物の画像が含まれる前記コンテンツを取得することを特徴とする請求項１に記載の通信装置。
【請求項４】
前記受信部は、前記探索対象識別情報として、探索対象となる人物の名前を含む前記インタレストを受信し、
前記制御部は、前記人物の名前を用いた前記照合処理により、探索対象となる人物の名前が記載された前記コンテンツを取得することを特徴とする請求項１に記載の通信装置。
【請求項５】
前記受信部は、前記照合処理の条件を指定する情報が付加された前記インタレストを受信し、
前記制御部は、前記照合処理の条件を指定する情報に基づいて、前記照合処理を行うことを特徴とする請求項１に記載の通信装置。
【請求項６】
前記受信部は、前記照合処理の結果の通知方法を指定する情報が付加された前記インタレストを受信し、
前記制御部は、前記照合処理の結果の通知方法を指定する情報に基づいて、前記照合処理の結果の通知を前記コンテンツの要求元に送信することを特徴とする請求項１に記載の通信装置。
【請求項７】
コンテンツ中心ネットワークに接続された通信装置であって、
コンテンツを蓄積する記憶部と、
検索条件情報および探索対象識別情報が付加されたインタレストを受信する受信部と、
前記記憶部に蓄積されたコンテンツの中から、前記検索条件情報に該当するコンテンツを検索する検索処理を行い、この検索処理で見つかった前記コンテンツと前記探索対象識別情報とを照合する照合処理を行って、探索対象に関するコンテンツを取得する制御部と、
前記探索対象に関するコンテンツを、コンテンツの要求元の通信装置に送信する送信部と、
を備え、
前記制御部は、前記検索条件情報に該当するコンテンツが前記記憶部に存在し、当該コンテンツの照合処理を自装置で行う場合には、当該コンテンツのコンテンツ付随情報をインタレストに付加して他の通信装置に転送することを特徴とする通信装置。
【請求項８】
コンテンツ中心ネットワークに接続された通信装置であって、
コンテンツを蓄積する記憶部と、
検索条件情報および探索対象識別情報が付加されたインタレストを受信する受信部と、
前記記憶部に蓄積されたコンテンツの中から、前記検索条件情報に該当するコンテンツを検索する検索処理を行い、この検索処理で見つかった前記コンテンツと前記探索対象識別情報とを照合する照合処理を行って、探索対象に関するコンテンツを取得する制御部と、
前記探索対象に関するコンテンツを、コンテンツの要求元の通信装置に送信する送信部と、
を備え、
前記制御部は、前記検索条件情報に該当するコンテンツが前記記憶部に存在する場合でも、当該コンテンツの照合処理を自装置で行わずに、当該コンテンツをインタレストとともに他の通信装置に送信することを特徴とする通信装置。
【請求項９】
前記制御部は、自装置の負荷状態と、照合処理の待ち状態の件数と、自装置の処理能力との少なくともいずれかに基づいて、前記記憶部に存在する前記コンテンツの照合処理を自装置で行うか否かを判定することを特徴とする請求項８に記載の通信装置。
【請求項１０】
コンテンツ中心ネットワークに接続された通信装置であって、
検索条件情報および探索対象の画像である探索対象識別情報が付加されたインタレストを生成する制御部と、
前記インタレストを前記コンテンツ中心ネットワークに送信する送信部と、
前記コンテンツ中心ネットワーク内に接続された他の通信装置において、前記他の通信装置に蓄積されたコンテンツの中から、前記検索条件情報に基づく検索処理およびこの検索処理で見つかった前記コンテンツの画像と、前記探索対象の画像との照合処理により取得した前記探索対象の画像を含むコンテンツを受信する受信部と、
を備えることを特徴とする通信装置。
【請求項１１】
コンテンツ中心ネットワークに接続された通信装置およびコンテンツ蓄積装置を備える通信システムであって、
前記通信装置は、
検索条件情報および探索対象の画像である探索対象識別情報が付加されたインタレストを生成する制御部と、
前記インタレストを前記コンテンツ中心ネットワークに送信する送信部と、
前記探索対象の画像を含むコンテンツを受信する受信部と、
を備え、
前記コンテンツ蓄積装置は、
コンテンツを蓄積する記憶部と、
前記検索条件情報および探索対象の画像である前記探索対象識別情報が付加されたインタレストを受信する受信部と、
前記コンテンツを、コンテンツの要求元の通信装置に送信する送信部と、
前記記憶部に蓄積されたコンテンツの中から、前記検索条件情報に該当するコンテンツを検索する検索処理を行い、この検索処理で見つかった前記コンテンツの画像と、前記インタレストに含まれる前記探索対象の画像とを照合する照合処理を行って、前記探索対象の画像が含まれるコンテンツを取得し、前記探索対象の画像が含まれるコンテンツを取得した場合は、前記送信部によって、当該コンテンツをコンテンツの要求元の通信装置に送信し、一方、前記検索条件情報に該当するコンテンツを検索できない場合は、前記送信部によって、前記受信したインタレストを他の通信装置に転送する制御部と、
を備えることを特徴とする通信システム。
【請求項１２】
通信装置が、コンテンツ中心ネットワークを介してコンテンツ蓄積装置から、探索対象に関するコンテンツを収集するコンテンツ収集方法であって、
前記通信装置が、
検索条件情報および探索対象の画像である探索対象識別情報が付加されたインタレストを生成して、そのインタレストを前記コンテンツ中心ネットワークに送信し、
前記コンテンツ蓄積装置が、
前記探索対象の画像を含むインタレストを受信すると、自装置に蓄積されたコンテンツの中から、前記検索条件情報に該当するコンテンツを検索する検索処理を行い、この検索処理で見つかった前記コンテンツの画像と、前記インタレストに含まれる前記探索対象の画像とを照合する照合処理を行って、前記探索対象の画像が含まれるコンテンツを取得し、前記探索対象の画像が含まれるコンテンツを取得した場合は、当該コンテンツをコンテンツの要求元の通信装置に送信し、一方、前記検索条件情報に該当するコンテンツを検索できない場合は、前記受信したインタレストを他の通信装置に転送し、
前記通信装置が、
前記探索対象の画像を含むコンテンツを受信することを特徴とするコンテンツ収集方法。
【手続補正２】
【補正対象書類名】明細書
【補正対象項目名】０００９
【補正方法】変更
【補正の内容】
【０００９】
本発明の通信装置は、コンテンツ中心ネットワークに接続された通信装置であって、コンテンツを蓄積する記憶部と、検索条件情報および探索対象の画像である探索対象識別情報が付加されたインタレストを受信する受信部と、前記コンテンツを、コンテンツの要求元の通信装置に送信する送信部と、前記記憶部に蓄積されたコンテンツの中から、前記検索条件情報に該当するコンテンツを検索する検索処理を行い、この検索処理で見つかった前記コンテンツの画像と、前記インタレストに含まれる前記探索対象の画像とを照合する照合処理を行って、前記探索対象の画像が含まれるコンテンツを取得し、前記探索対象の画像が含まれるコンテンツを取得した場合は、前記送信部によって、当該コンテンツをコンテンツの要求元の通信装置に送信し、一方、前記検索条件情報に該当するコンテンツを検索できない場合は、前記送信部によって、前記受信したインタレストを他の通信装置に転送する制御部と、を備える構成とする。
【手続補正３】
【補正対象書類名】明細書
【補正対象項目名】００１０
【補正方法】変更
【補正の内容】
【００１０】
また、本発明の通信システムは、コンテンツ中心ネットワークに接続された通信装置およびコンテンツ蓄積装置を備える通信システムであって、前記通信装置は、検索条件情報および探索対象の画像である探索対象識別情報が付加されたインタレストを生成する制御部と、前記インタレストを前記コンテンツ中心ネットワークに送信する送信部と、前記探索対象の画像を含むコンテンツを受信する受信部と、を備え、前記コンテンツ蓄積装置は、コンテンツを蓄積する記憶部と、前記検索条件情報および探索対象の画像である前記探索対象識別情報が付加されたインタレストを受信する受信部と、前記コンテンツを、コンテンツの要求元の通信装置に送信する送信部と、前記記憶部に蓄積されたコンテンツの中から、前記検索条件情報に該当するコンテンツを検索する検索処理を行い、この検索処理で見つかった前記コンテンツの画像と、前記インタレストに含まれる前記探索対象の画像とを照合する照合処理を行って、前記探索対象の画像が含まれるコンテンツを取得し、前記探索対象の画像が含まれるコンテンツを取得した場合は、前記送信部によって、当該コンテンツをコンテンツの要求元の通信装置に送信し、一方、前記検索条件情報に該当するコンテンツを検索できない場合は、前記送信部によって、前記受信したインタレストを他の通信装置に転送する制御部と、を備える構成とする。
【手続補正４】
【補正対象書類名】明細書
【補正対象項目名】００１１
【補正方法】変更
【補正の内容】
【００１１】
また、本発明のコンテンツ収集方法は、通信装置が、コンテンツ中心ネットワークを介してコンテンツ蓄積装置から、探索対象に関するコンテンツを収集するコンテンツ収集方法であって、前記通信装置が、検索条件情報および探索対象の画像である探索対象識別情報が付加されたインタレストを生成して、そのインタレストを前記コンテンツ中心ネットワークに送信し、前記コンテンツ蓄積装置が、前記探索対象の画像を含むインタレストを受信すると、自装置に蓄積されたコンテンツの中から、前記検索条件情報に該当するコンテンツを検索する検索処理を行い、この検索処理で見つかった前記コンテンツの画像と、前記インタレストに含まれる前記探索対象の画像とを照合する照合処理を行って、前記探索対象の画像が含まれるコンテンツを取得し、前記探索対象の画像が含まれるコンテンツを取得した場合は、当該コンテンツをコンテンツの要求元の通信装置に送信し、一方、前記検索条件情報に該当するコンテンツを検索できない場合は、前記受信したインタレストを他の通信装置に転送し、前記通信装置が、前記探索対象の画像を含むコンテンツを受信する構成とする。
【手続補正５】
【補正対象書類名】明細書
【補正対象項目名】００１４
【補正方法】変更
【補正の内容】
【００１４】
前記課題を解決するためになされた第１の発明は、コンテンツ中心ネットワークに接続された通信装置であって、コンテンツを蓄積する記憶部と、検索条件情報および探索対象の画像である探索対象識別情報が付加されたインタレストを受信する受信部と、前記コンテンツを、コンテンツの要求元の通信装置に送信する送信部と、前記記憶部に蓄積されたコンテンツの中から、前記検索条件情報に該当するコンテンツを検索する検索処理を行い、この検索処理で見つかった前記コンテンツの画像と、前記インタレストに含まれる前記探索対象の画像とを照合する照合処理を行って、前記探索対象の画像が含まれるコンテンツを取得し、前記探索対象の画像が含まれるコンテンツを取得した場合は、前記送信部によって、当該コンテンツをコンテンツの要求元の通信装置に送信し、一方、前記検索条件情報に該当するコンテンツを検索できない場合は、前記送信部によって、前記受信したインタレストを他の通信装置に転送する制御部と、を備える構成とする。
【手続補正６】
【補正対象書類名】明細書
【補正対象項目名】００２６
【補正方法】変更
【補正の内容】
【００２６】
また、第７の発明は、コンテンツ中心ネットワークに接続された通信装置であって、コンテンツを蓄積する記憶部と、検索条件情報および探索対象識別情報が付加されたインタレストを受信する受信部と、前記記憶部に蓄積されたコンテンツの中から、前記検索条件情報に該当するコンテンツを検索する検索処理を行い、この検索処理で見つかった前記コンテンツと前記探索対象識別情報とを照合する照合処理を行って、探索対象に関するコンテンツを取得する制御部と、前記探索対象に関するコンテンツを、コンテンツの要求元の通信装置に送信する送信部と、を備え、前記制御部は、前記検索条件情報に該当するコンテンツが前記記憶部に存在し、当該コンテンツの照合処理を自装置で行う場合には、当該コンテンツのコンテンツ付随情報をインタレストに付加して他の通信装置に転送する構成とする。
【手続補正７】
【補正対象書類名】明細書
【補正対象項目名】００２８
【補正方法】変更
【補正の内容】
【００２８】
また、第８の発明は、コンテンツ中心ネットワークに接続された通信装置であって、
コンテンツを蓄積する記憶部と、検索条件情報および探索対象識別情報が付加されたインタレストを受信する受信部と、前記記憶部に蓄積されたコンテンツの中から、前記検索条件情報に該当するコンテンツを検索する検索処理を行い、この検索処理で見つかった前記コンテンツと前記探索対象識別情報とを照合する照合処理を行って、探索対象に関するコンテンツを取得する制御部と、前記探索対象に関するコンテンツを、コンテンツの要求元の通信装置に送信する送信部と、を備え、前記制御部は、前記検索条件情報に該当するコンテンツが前記記憶部に存在する場合でも、当該コンテンツの照合処理を自装置で行わずに、当該コンテンツをインタレストとともに他の通信装置に送信する構成とする。
【手続補正８】
【補正対象書類名】明細書
【補正対象項目名】００３２
【補正方法】変更
【補正の内容】
【００３２】
また、第１０の発明は、コンテンツ中心ネットワークに接続された通信装置であって、検索条件情報および探索対象の画像である探索対象識別情報が付加されたインタレストを生成する制御部と、前記インタレストを前記コンテンツ中心ネットワークに送信する送信部と、前記コンテンツ中心ネットワーク内に接続された他の通信装置において、前記他の通信装置に蓄積されたコンテンツの中から、前記検索条件情報に基づく検索処理およびこの検索処理で見つかった前記コンテンツの画像と、前記探索対象の画像との照合処理により取得した前記探索対象の画像を含むコンテンツを受信する受信部と、を備える構成とする。
【手続補正９】
【補正対象書類名】明細書
【補正対象項目名】００３４
【補正方法】変更
【補正の内容】
【００３４】
また、第１１の発明は、コンテンツ中心ネットワークに接続された通信装置およびコンテンツ蓄積装置を備える通信システムであって、前記通信装置は、検索条件情報および探索対象の画像である探索対象識別情報が付加されたインタレストを生成する制御部と、前記インタレストを前記コンテンツ中心ネットワークに送信する送信部と、前記探索対象の画像を含むコンテンツを受信する受信部と、を備え、前記コンテンツ蓄積装置は、コンテンツを蓄積する記憶部と、前記検索条件情報および探索対象の画像である前記探索対象識別情報が付加されたインタレストを受信する受信部と、前記コンテンツを、コンテンツの要求元の通信装置に送信する送信部と、前記記憶部に蓄積されたコンテンツの中から、前記検索条件情報に該当するコンテンツを検索する検索処理を行い、この検索処理で見つかった前記コンテンツの画像と、前記インタレストに含まれる前記探索対象の画像とを照合する照合処理を行って、前記探索対象の画像が含まれるコンテンツを取得し、前記探索対象の画像が含まれるコンテンツを取得した場合は、前記送信部によって、当該コンテンツをコンテンツの要求元の通信装置に送信し、一方、前記検索条件情報に該当するコンテンツを検索できない場合は、前記送信部によって、前記受信したインタレストを他の通信装置に転送する制御部と、を備える構成とする。
【手続補正１０】
【補正対象書類名】明細書
【補正対象項目名】００３６
【補正方法】変更
【補正の内容】
【００３６】
また、第１２の発明は、通信装置が、コンテンツ中心ネットワークを介してコンテンツ蓄積装置から、探索対象に関するコンテンツを収集するコンテンツ収集方法であって、前記通信装置が、検索条件情報および探索対象の画像である探索対象識別情報が付加されたインタレストを生成して、そのインタレストを前記コンテンツ中心ネットワークに送信し、前記コンテンツ蓄積装置が、前記探索対象の画像を含むインタレストを受信すると、自装置に蓄積されたコンテンツの中から、前記検索条件情報に該当するコンテンツを検索する検索処理を行い、この検索処理で見つかった前記コンテンツの画像と、前記インタレストに含まれる前記探索対象の画像とを照合する照合処理を行って、前記探索対象の画像が含まれるコンテンツを取得し、前記探索対象の画像が含まれるコンテンツを取得した場合は、当該コンテンツをコンテンツの要求元の通信装置に送信し、一方、前記検索条件情報に該当するコンテンツを検索できない場合は、前記受信したインタレストを他の通信装置に転送し、前記通信装置が、前記探索対象の画像を含むコンテンツを受信する構成とする。
【手続補正書】
【提出日】平成30年5月29日(2018.5.29)
【手続補正１】
【補正対象書類名】特許請求の範囲
【補正対象項目名】全文
【補正方法】変更
【補正の内容】
【特許請求の範囲】
【請求項１】
コンテンツ中心ネットワークに接続された通信装置であって、
コンテンツを蓄積する記憶部と、
検索条件情報および探索対象の画像である探索対象識別情報が付加されたインタレストを受信する受信部と、
前記コンテンツを、コンテンツの要求元の通信装置に送信する送信部と、
前記記憶部に蓄積されたコンテンツの中から、前記検索条件情報に該当するコンテンツを検索する検索処理を行い、この検索処理で見つかった前記コンテンツの画像と、前記インタレストに含まれる前記探索対象の画像とを照合する照合処理を行って、前記探索対象の画像が含まれるコンテンツを取得し、前記探索対象の画像が含まれるコンテンツを取得した場合は、前記送信部によって、当該コンテンツをコンテンツの要求元の通信装置に送信し、一方、前記検索条件情報に該当するコンテンツを検索できない場合は、前記送信部によって、前記受信したインタレストを他の通信装置に転送する制御部と、
を備えることを特徴とする通信装置。
【請求項２】
前記受信部は、前記探索対象識別情報とともに、前記コンテンツの位置および時間に関する検索条件情報が、前記コンテンツのコンテンツ名またはインタレスト付随情報に付加されたインタレストを受信し、
前記制御部は、前記検索条件情報に基づいて前記検索処理を行うことを特徴とする請求項１に記載の通信装置。
【請求項３】
前記受信部は、前記探索対象識別情報として、探索対象となる人物の画像を含む前記インタレストを受信し、
前記制御部は、前記画像を用いた前記照合処理により、探索対象となる人物の画像が含まれる前記コンテンツを取得することを特徴とする請求項１に記載の通信装置。
【請求項４】
前記受信部は、前記探索対象識別情報として、探索対象となる人物の名前を含む前記インタレストを受信し、
前記制御部は、前記人物の名前を用いた前記照合処理により、探索対象となる人物の名前が記載された前記コンテンツを取得することを特徴とする請求項１に記載の通信装置。
【請求項５】
前記受信部は、前記照合処理の条件を指定する情報が付加された前記インタレストを受信し、
前記制御部は、前記照合処理の条件を指定する情報に基づいて、前記照合処理を行うことを特徴とする請求項１に記載の通信装置。
【請求項６】
前記受信部は、前記照合処理の結果の通知方法を指定する情報が付加された前記インタレストを受信し、
前記制御部は、前記照合処理の結果の通知方法を指定する情報に基づいて、前記照合処理の結果の通知を前記コンテンツの要求元に送信することを特徴とする請求項１に記載の通信装置。
【請求項７】
コンテンツ中心ネットワークに接続された通信装置であって、
コンテンツを蓄積する記憶部と、
検索条件情報および探索対象識別情報が付加されたインタレストを受信する受信部と、
前記記憶部に蓄積されたコンテンツの中から、前記検索条件情報に該当するコンテンツを検索する検索処理を行い、この検索処理で見つかった前記コンテンツと前記探索対象識別情報とを照合する照合処理を行って、探索対象に関するコンテンツを取得する制御部と、
前記探索対象に関するコンテンツを、コンテンツの要求元の通信装置に送信する送信部と、
を備え、
前記制御部は、前記検索条件情報に該当するコンテンツが前記記憶部に存在し、当該コンテンツの照合処理を自装置で行う場合には、当該コンテンツのコンテンツ付随情報をインタレストに付加して他の通信装置に転送することを特徴とする通信装置。
【請求項８】
コンテンツ中心ネットワークに接続された通信装置であって、
コンテンツを蓄積する記憶部と、
検索条件情報および探索対象識別情報が付加されたインタレストを受信する受信部と、
前記記憶部に蓄積されたコンテンツの中から、前記検索条件情報に該当するコンテンツを検索する検索処理を行い、この検索処理で見つかった前記コンテンツと前記探索対象識別情報とを照合する照合処理を行って、探索対象に関するコンテンツを取得する制御部と、
前記探索対象に関するコンテンツを、コンテンツの要求元の通信装置に送信する送信部と、
を備え、
前記制御部は、前記検索条件情報に該当するコンテンツが前記記憶部に存在する場合でも、当該コンテンツの照合処理を自装置で行わずに、当該コンテンツをインタレストとともに他の通信装置に送信することを特徴とする通信装置。
【請求項９】
前記制御部は、自装置の負荷状態と、照合処理の待ち状態の件数と、自装置の処理能力との少なくともいずれかに基づいて、前記記憶部に存在する前記コンテンツの照合処理を自装置で行うか否かを判定することを特徴とする請求項８に記載の通信装置。
【請求項１０】
コンテンツ中心ネットワークに接続された通信装置であって、
検索条件情報および探索対象の画像である探索対象識別情報が付加されたインタレストを生成する制御部と、
前記インタレストを前記コンテンツ中心ネットワークに送信する送信部と、
前記コンテンツ中心ネットワーク内に接続された他の通信装置において、前記他の通信装置に蓄積されたコンテンツの中から、前記検索条件情報に基づく検索処理およびこの検索処理で見つかった前記コンテンツの画像と、前記探索対象の画像との照合処理により取得した前記探索対象の画像を含むコンテンツを受信する受信部と、
を備えることを特徴とする通信装置。
【請求項１１】
コンテンツ中心ネットワークに接続された通信装置およびコンテンツ蓄積装置を備える通信システムであって、
前記通信装置は、
検索条件情報および探索対象の画像である探索対象識別情報が付加されたインタレストを生成する制御部と、
前記インタレストを前記コンテンツ中心ネットワークに送信する送信部と、
前記探索対象の画像を含むコンテンツを受信する受信部と、
を備え、
前記コンテンツ蓄積装置は、
コンテンツを蓄積する記憶部と、
前記検索条件情報および探索対象の画像である前記探索対象識別情報が付加されたインタレストを受信する受信部と、
前記コンテンツを、コンテンツの要求元の通信装置に送信する送信部と、
前記記憶部に蓄積されたコンテンツの中から、前記検索条件情報に該当するコンテンツを検索する検索処理を行い、この検索処理で見つかった前記コンテンツの画像と、前記インタレストに含まれる前記探索対象の画像とを照合する照合処理を行って、前記探索対象の画像が含まれるコンテンツを取得し、前記探索対象の画像が含まれるコンテンツを取得した場合は、前記送信部によって、当該コンテンツをコンテンツの要求元の通信装置に送信し、一方、前記検索条件情報に該当するコンテンツを検索できない場合は、前記送信部によって、前記受信したインタレストを他の通信装置に転送する制御部と、
を備えることを特徴とする通信システム。
【請求項１２】
通信装置が、コンテンツ中心ネットワークを介してコンテンツ蓄積装置から、探索対象に関するコンテンツを収集するコンテンツ収集方法であって、
前記通信装置が、
検索条件情報および探索対象の画像である探索対象識別情報が付加されたインタレストを生成して、そのインタレストを前記コンテンツ中心ネットワークに送信し、
前記コンテンツ蓄積装置が、
前記探索対象の画像を含むインタレストを受信すると、自装置に蓄積されたコンテンツの中から、前記検索条件情報に該当するコンテンツを検索する検索処理を行い、この検索処理で見つかった前記コンテンツの画像と、前記インタレストに含まれる前記探索対象の画像とを照合する照合処理を行って、前記探索対象の画像が含まれるコンテンツを取得し、前記探索対象の画像が含まれるコンテンツを取得した場合は、当該コンテンツをコンテンツの要求元の通信装置に送信し、一方、前記検索条件情報に該当するコンテンツを検索できない場合は、前記受信したインタレストを他の通信装置に転送し、
前記通信装置が、
前記探索対象の画像を含むコンテンツを受信することを特徴とするコンテンツ収集方法。
【手続補正２】
【補正対象書類名】明細書
【補正対象項目名】００１６
【補正方法】変更
【補正の内容】
【００１６】
また、第２の発明は、前記受信部は、前記探索対象識別情報とともに、前記コンテンツの位置および時間に関する検索条件情報が、前記コンテンツのコンテンツ名またはインタレスト付随情報に付加されたインタレストを受信し、前記制御部は、前記検索条件情報に基づいて前記検索処理を行う構成とする。